(57)【特許請求の範囲】
【請求項１】
画像を表示するために各々のフレーム或いはフィールド内に予め定められた複数の発光ブロックを有し、該発光ブロックの組み合わせで中間調を表示する装置に対する中間調表示方法であって、
各々の画素における特定の発光ブロックの点灯パターンが連続するフレーム或いはフィールド間において変化する場合、
該点灯パターンのフレーム或いはフィールド間変化が等しい画素が表示画面上で直線的に連続する数を算定し、
該連続する画素数および前記点灯パターンのフレーム或いはフィールド間変化の状態に従って予め定められた輝度調整用発光ブロックを選択し、
該選択された輝度調整用発光ブロックを前記連続する画素の原信号に加え、或いは、減ずるようにしたことを特徴とする中間調表示方法。
【請求項２】
画像を表示するために各々のフレーム或いはフィールド内に予め定められた複数の発光ブロックを有し、該発光ブロックの組み合わせで中間調を表示する装置に対する中間調表示方法であって、
各々の画素における特定の発光ブロックの点灯パターンが連続するフレーム或いはフィールド間において変化する場合、
該点灯パターンのフレーム或いはフィールド間変化が等しい画素が表示画面上で直線的に連続する数を算定し、
該連続する画素を挟む２つの画素のフレーム或いはフィールド内での点灯ブロックの状態を検出し、該連続する画素数、該連続する画素を挟む２つの画素の状態および前記点灯パターンのフレーム或いはフィールド間変化の状態に従って予め定められた輝度調整用発光ブロックを選択し、
該選択された輝度調整用発光ブロックを前記連続する画素の原信号に加え、或いは、減ずるようにしたことを特徴とする中間調表示方法。
【請求項３】
画像を表示するために各々のフレーム或いはフィールド内に予め定められた複数の発光ブロックを有し、該発光ブロックの組み合わせで中間調を表示する装置に対する中間調表示方法であって、
各々の画素における特定の発光ブロックの点灯パターンが連続するフレーム或いはフィールド間において変化する場合、
該点灯パターンのフレーム或いはフィールド間変化が等しい画素が表示画面上で直線的に連続する数を水平方向および垂直方向において算定し、
該連続する水平方向および垂直方向の画素数の内、小さい方の画素数および前記点灯パターンのフレーム或いはフィールド間変化の状態に従って予め定められた輝度調整用発光ブロックを選択し、
該選択された輝度調整用発光ブロックを前記連続する画素の原信号に加え、或いは、減ずるようにしたことを特徴とする中間調表示方法。
【請求項４】
画像を表示するために各々のフレーム或いはフィールド内に予め定められた複数の発光ブロックを有し、該発光ブロックの組み合わせで中間調を表示する装置に対する中間調表示方法であって、
各々の画素における特定の発光ブロックの点灯パターンが連続するフレーム或いはフィールド間において変化する場合、
該点灯パターンのフレーム或いはフィールド間変化が等しい画素が表示画面上で直線的に連続する数を水平方向および垂直方向において算定し、
各々の方向の該連続する画素を挟む２つの画素のフレーム或いはフィールド内での点灯ブロックの状態を検出し、該２つの点灯ブロックが互いに異なり、且つ、該連続する水平方向および垂直方向の画素数の内、小さい方の画素数および前記点灯パターンのフレーム或いはフィールド間変化の状態に従って予め定められた輝度調整用発光ブロックを選択し、
該選択された輝度調整用発光ブロックを前記連続する画素の原信号に加え、或いは、減ずるようにしたことを特徴とする中間調表示方法。
【請求項５】
画像を表示するために各々のフレーム或いはフィールド内に予め定められた複数の発光ブロックを有し、該発光ブロックの組み合わせで中間調を表示する装置に対する中間調表示方法であって、
各々の画素における特定の発光ブロックの点灯パターンが連続するフレーム或いはフィールド間において変化する場合、
該点灯パターンのフレーム或いはフィールド間変化が等しい画素が表示画面上で直線的に連続する数を水平方向および垂直方向において算定し、
各々の方向の該連続する画素を挟む２つの画素のフレーム或いはフィールド内での点灯ブロックの状態を検出し、該水平方向および垂直方向の該２つの点灯ブロックが互いに異ならない場合においては、該連続する水平方向および垂直方向の画素数の内、小さい方の画素数および前記点灯パターンのフレーム或いはフィールド間変化の状態に従って予め定められた輝度調整用発光ブロックを選択し、
該選択された輝度調整用発光ブロックを前記連続する画素の原信号に加え、或いは、減ずるようにしたことを特徴とする中間調表示方法。
【請求項６】
画像を表示するために各々のフレーム或いはフィールド内に予め定められた複数の発光ブロックを有し、該発光ブロックの組み合わせで中間調を表示する装置に対する中間調表示方法であって、
各々の画素における特定の発光ブロックの点灯パターンが連続するフレーム或いはフィールド間において変化する場合、
該点灯パターンのフレーム或いはフィールド間変化が等しい画素が表示画面上で直線的に連続する数を水平方向および垂直方向において算定し、
各々の方向の該連続する画素を挟む２つの画素のフレーム或いはフィールド内での点灯ブロックの状態を検出し、該水平方向および垂直方向の一方の方向のみ該２つの点灯ブロックが互いに異なる場合においては、該連続する水平方向および垂直方向の画素数の大きさに関係なく、互いに異なる２つの画素の点灯ブロックで挟まれた画素数および前記点灯パターンのフレーム或いはフィールド間変化の状態に従って予め定められた輝度調整用発光ブロックを選択し、
該選択された輝度調整用発光ブロックを前記連続する画素の原信号に加え、或いは、減ずるようにしたことを特徴とする中間調表示方法。
【請求項７】
請求項１〜６のいずれか１項に記載の中間調表示方法において、
前記点灯パターンのフレーム或いはフィールド間変化が等しい画素が前記表示画面上で直線的に連続する領域が、互いに異なる２つの画素の発光ブロックで挟まれるとき、前記選択された輝度調整用発光ブロックを前記連続する画素の原信号に加え、或いは、減ずるようにしたことを特徴とする中間調表示方法。
【請求項８】
請求項１〜６のいずれか１項に記載の中間調表示方法において、
前記点灯パターンのフレーム或いはフィールド間変化が等しい画素が前記表示画面上で直線的に連続する領域が、互いに異なる２つの画素の発光ブロックに挟まれていないとき、前記輝度調整用発光ブロックの大きさを零としたことを特徴とする中間調表示方法。
【請求項９】
請求項１〜６のいずれか１項に記載の中間調表示方法において、
前記点灯パターンのフレーム或いはフィールド間変化が等しい画素が前記表示画面上で直線的に連続する領域が、互いに異なる２つの画素の発光ブロックに挟まれていないとき、該フレーム或いはフィールド間の発光ブロックの点灯パターンの変化に応じて選択された前記輝度調整用発光ブロックを前記連続する画素の内、少なくとも１つの画素の原信号に加え、或いは、減ずるようにしたことを特徴とする中間調表示方法。
【請求項１０】
画像を表示するために各々のフレーム或いはフィールド内に予め定められた複数の発光ブロックを有し、該発光ブロックの組み合わせで中間調を表示する装置に対する中間調表示方法であって、
各々の画素における特定の発光ブロックの点灯パターンが連続するフレーム或いはフィールド間において変化する場合、
該点灯パターンのフレーム或いはフィールド間変化が等しい画素が表示画面上で直線的に連続するとき、
該連続する画素の原信号に輝度調整用発光ブロックを加え、或いは、減じる中間調表示方法において、
該輝度調整用発光ブロックの大きさを、前記連続する画素の位置に応じて、互いに等しい、或いは、異なるように設定し、該連続する画素に当該輝度調整用発光ブロックを加え、或いは、減ずるようにしたことを特徴とする中間調表示方法。
【請求項１１】
画像を表示するために各々のフレーム或いはフィールド内に予め定められた複数の発光ブロックを有し、該発光ブロックの組み合わせで中間調を表示する装置に対する中間調表示方法であって、
各々の画素における特定の発光ブロックの点灯パターンが連続するフレーム或いはフィールド間において変化する場合、
該点灯パターンのフレーム或いはフィールド間変化が等しい画素が表示画面上で直線的に連続するとき、
該連続する画素の原信号に輝度調整用発光ブロックを加え、或いは、減じる中間調表示方法において、
該輝度調整用発光ブロックの大きさを、前記連続する画素の並び順に単調に増加、或いは、減少させるようにしたことを特徴とする中間調表示方法。
【請求項１２】
画像を表示するために各々のフレーム或いはフィールド内に予め定められた複数の発光ブロックを有し、該発光ブロックの組み合わせで中間調を表示する装置に対する中間調表示方法であって、
各々の画素における特定の発光ブロックの点灯パターンが連続するフレーム或いはフィールド間において変化し、
該点灯パターンのフレーム或いはフィールド間変化が等しい画素が表示画面上で直線的にｎ個連続し、
該連続するｎ個の各画素の各発光ブロックによる網膜上の刺激の時間変化をＢ（ｔ）とし、中間調表示輝度の変化前のＢ（ｔ）の平均値をＢ1 とし、発光ブロックの点灯パターンがフレーム或いはフィールド間で変化する最中のＢ（ｔ）の平均値をＢ2 とし、変化後のＢ（ｔ）の平均値をＢ3 とし、変化の期間をＴとし、そして、輝度調整用発光ブロックの発光による網膜上の刺激の総和をΔＳとした時、該刺激の総和ΔＳが、
Ｂ1 Ｔ≦Ｂ2 Ｔ＋ΔＳ≦Ｂ3 Ｔ、
或いは
Ｂ1 Ｔ≧Ｂ2 Ｔ＋ΔＳ≧Ｂ3 Ｔ
を満足するように、正または負の値をとる刺激の総和ΔＳを定め、
前記連続するｎ個の画素の各々に対して、互いに等しい、或いは、異なる大きさの前記輝度調整用発光ブロックを加え、或いは、減じるようにし、
該輝度調整用発光ブロックの発光による前記連続するｎ画素に対応する網膜上の刺激の総和をΣＳとするとき、ΣＳは、ΔＳが正値の時、
０＜ΣＳ≦２ｎΔＳ、
ΔＳが負値の時、
０＞ΣＳ≧２ｎΔＳ
にするようにしたことを特徴とする中間調表示方法。
【請求項１３】
画像を表示するために各々のフレーム或いはフィールド内に予め定められた複数の発光ブロックを有し、該発光ブロックの組み合わせで中間調を表示する装置に対する中間調表示方法であって、
各々の画素における特定の発光ブロックの点灯パターンが連続するフレーム或いはフィールド間において変化し、
該点灯パターンのフレーム或いはフィールド間変化が等しい画素が表示画面上で直線的にｎ個連続し、
該連続するｎ個の各画素の各発光ブロックによる網膜上の刺激の時間変化をＢ（ｔ）とし、中間調表示輝度の変化前のＢ（ｔ）の平均値をＢ1 とし、発光ブロックの点灯パターンがフレーム或いはフィールド間で変化する最中のＢ（ｔ）の平均値をＢ2 とし、変化後のＢ（ｔ）の平均値をＢ3 とし、変化の期間をＴとし、そして、輝度調整用発光ブロックの発光による網膜上の刺激の総和をΔＳとした時、該刺激の総和ΔＳが、
Ｂ2 ≦（Ｂ1 ＋Ｂ3 ）／２
のとき、ΔＳが
０≦ΔＳ≦（Ｂ1 ＋Ｂ3 −２Ｂ2 ）Ｔ
を満足するように、また、
Ｂ2 ≧（Ｂ1 ＋Ｂ3 ）／２
のとき、ΔＳが
０≧ΔＳ≧（Ｂ1 ＋Ｂ3 −２Ｂ2 ）Ｔ
を満足するように、正或いは負の値をとる前記輝度調整用発光ブロックの発光による
網膜上の刺激の総和ΔＳを定め、
前記連続するｎ個の画素の各々に対して、互いに等しい、或いは、異なる大きさの輝度調整用発光ブロックを加え、或いは、減じるようにし、
該輝度調整用発光ブロックの発光による前記連続するｎ画素に対応する網膜上の刺激の総和をΣＳとするとき、ΣＳは、ΔＳが正値の時、
０＜ΣＳ≦２ｎΔＳ、
ΔＳが負値の時、
０＞ΣＳ≧２ｎΔＳ
にするようにしたことを特徴とする中間調表示方法。
【請求項１４】
画像を表示するために各々のフレーム或いはフィールド内に予め定められた複数の発光ブロックを有し、該発光ブロックの組み合わせで中間調を表示する装置に対する中間調表示方法において、複数の画素の発光ブロックの点灯パターンが連続するフレーム或いはフィールド間において変化する場合、該連続するフレーム或いはフィールド間の点灯パターンを比較し、該比較結果に応じて輝度調整用発光ブロックを前記連続する画素の原信号に加え、或いは、減ずるようにした中間調表示方法であって、
前記連続するフレーム或いはフィールド間で点灯パターンが変化する複数の連続する画素に対して、該連続する画素数および前記点灯パターンのフレーム或いはフィールド間変化の状態に従って重み付けされた輝度調整用発光ブロックを、該複数の連続する画素の原信号に加え、或いは、減ずるようにしたことを特徴とする中間調表示方法。
【請求項１５】
請求項１〜１４のいずれか１項に記載の中間調表示方法において、
前記中間調を表示する装置は、赤色、緑色および青色の三原色各々を発光する従属画素を有し、該従属画素の組み合わせでカラー画像を表示するようになっていることを特徴とする中間調表示方法。
【請求項１６】
画像を表示するために各々のフレーム或いはフィールド内に予め定められた複数の発光ブロックを有し、該発光ブロックの組み合わせで中間調を表示する表示装置であって、
各々の画素における特定の発光ブロックの点灯パターンが連続するフレーム或いはフィールド間において変化する場合、
或るフレームと、当該フレームに連続するフレームにおける特定のビットの変化を検出する手段と、
該特定のビットが変化する画素が表示画面上で直線的に連続する数を算定する手段と、
該算定された画素数および前記特定のビットの変化の状態に従って、予め定められた輝度調整用発光ブロックの大きさを選択する手段とを備え、
前記特定のビットの変化する画素の原信号に対して前記輝度調整用発光ブロックを加え、或いは、減ずるようにしたことを特徴とする表示装置。
【請求項１７】
画像を表示するために各々のフレーム或いはフィールド内に予め定められた複数の発光ブロックを有し、該発光ブロックの組み合わせで中間調を表示する表示装置であって、
各々の画素における特定の発光ブロックの点灯パターンが連続するフレーム或いはフィールド間において変化する場合、
或るフレームと、当該フレームに連続するフレームにおける特定のビットの変化を検出する手段と、
該特定のビットが変化する画素が表示画面上で水平方向に連続する数を算定する手段と、
該特定のビットが変化する画素が表示画面上で垂直方向に連続する数を算定する手段と、
該算定された水平方向および垂直方向の各々の表示画面上で直線的に連続する領域を挟む２つの画素の点灯パターンを検出する手段と、
該水平方向および垂直方向の前記連続する画素数と各々の連続する画素を挟む２つの画素の点灯パターンの検出された状態に従って、どちらか一方の方向を選択する手段と、
前記選択された水平方向および垂直方向の連続する画素数および前記選択された水平方向および垂直方向の連続する画素を挟む２つの画素の点灯パターンの状態に従って、予め定められた輝度調整用発光ブロックの大きさを選択する手段とを備え、
前記特定のビットの変化する画素の原信号に対して前記輝度調整用発光ブロックを加え、或いは、減ずるようにしたことを特徴とする表示装置。
【請求項１８】
請求項１６または１７のいずれかに記載の表示装置において、
前記点灯パターンのフレーム或いはフィールド間変化が等しい画素が前記表示画面上で直線的に連続する領域が、互いに異なる２つの画素の発光ブロックで挟まれるとき、前記選択された輝度調整用発光ブロックを前記連続する画素の原信号に加え、或いは、減ずるようにしたことを特徴とする表示装置。
【請求項１９】
請求項１６または１７のいずれかに記載の表示装置において、
前記点灯パターンのフレーム或いはフィールド間変化が等しい画素が前記表示画面上で直線的に連続する領域が、互いに異なる２つの画素の発光ブロックに挟まれていないとき、前記輝度調整用発光ブロックの大きさを零としたことを特徴とする表示装置。
【請求項２０】
請求項１６または１７のいずれかに記載の表示装置において、
前記点灯パターンのフレーム或いはフィールド間変化が等しい画素が前記表示画面上で直線的に連続する領域が、互いに異なる２つの画素の発光ブロックで挟まれていないとき、該フレーム或いはフィールド間の発光ブロックの点灯パターンの変化に応じて選択された前記輝度調整用発光ブロックを前記連続する画素の内、少なくとも１つの画素の原信号に加え、或いは、減ずるようにしたことを特徴とする表示装置。
【請求項２１】
画像を表示するために各々のフレーム或いはフィールド内に予め定められた複数の発光ブロックを有し、該発光ブロックの組み合わせで中間調を表示する表示装置であって、
複数の画素の発光ブロックの点灯パターンが連続するフレーム或いはフィールド間において変化する場合、該連続するフレーム或いはフィールド間の点灯パターンを比較する手段と、
該比較結果に応じて輝度調整用発光ブロックを前記連続する画素の原信号に加え、或いは、減ずる手段と、
前記連続するフレーム或いはフィールド間で点灯パターンが変化する複数の連続する画素に対して、該連続する画素数、および、該連続する画素を挟む２つの画素のフレーム或いはフィールド内での点灯ブロックの状態並びに該連続する画素の前記点灯パターンのフレーム或いはフィールド間変化の状態に従って輝度調整用発光ブロックを重み付けし、該重み付けされた輝度調整用発光ブロックを選択する手段とを具備することを特徴とする表示装置。
【請求項２２】
請求項１６〜２１のいずれか１項に記載の表示装置において、
前記中間調を表示する装置は、赤色、緑色および青色の三原色各々を発光する従属画素を有し、該従属画素の組み合わせでカラー画像を表示するようになっていることを特徴とする表示装置。
【発明の詳細な説明】
【０００１】
【発明の属する技術分野】
本発明はフレーム或いはフィールド内時間分割法で中間調表示を行う中間調表示方法および表示装置に関し、特に、ガス放電パネルの動画像部に発生する中間調乱れを改善すると共に動画偽輪郭（色偽輪郭）の発生を防止する中間調表示方法および表示装置に関する。
【０００２】
近年の表示装置の大型化に伴い、薄型の表示装置が要求され、そのため、各種類の薄型の表示装置が提供されている。例えば、ディジタル信号のままで表示するマトリックスパネル、つまりプラズマディスプレイ等のガス放電パネル、ＤＭＤ（Digital Micromirror Device) 、ＥＬ表示素子、蛍光表示管、液晶表示素子等のマトリックスパネル等が提供されている。かかる薄型の表示装置のうち、特にガス放電パネルは、簡易なプロセスのため大画面化が容易であること、自発光タイプで表示品質が良いこと、並びに、応答速度が速いこと等の理由から大画面で直視型のＨＤＴＶ（高品位テレビ）用表示デバイスの最有力候補として考えられている。しかしながら、このような表示装置において、特に、動画像部の中間調表示に乱れが生じて表示品位を損ねるという問題があり、これに対して、正また負の等化パルスを原信号に重畳して偽輪郭は低減することが考えられている。しかしながら、画像の移動速度の増大に伴って、画像の乱れは視認できるようになってしまう。このような移動速度の大きい動画像に対しても、中間調表示に乱れの生じない中間調表示方法および表示装置の提供が要望されている。
【０００３】
【従来の技術】
従来におけるメモリ型ガス放電パネルの中間調表示は、フレーム或いはフィールド内時間分割法で行われており、この中間調表示方法は、１フレーム（或いは、１フィールド：何れも６０Hz周期を規定する期間）を輝度の重みの異なるＮ枚の画面（サブフレーム：発光ブロック）で構成している。サブフレーム（発光ブロック）は、輝度の重みの小さい側から各々ＳＦ０，ＳＦ１，ＳＦ２，・・・，ＳＦ（Ｎ−１）と呼ばれ、それらの輝度の重みの比は２0 ，２1 ，２2 ，・・・２N-1 となっている。１フレーム内の中間調輝度は、これらのサブフレームの発光の有無を選択することにより行われ、人の目の視覚特性、すなわち、残光特性により、人の目の感じる輝度はサブフレームの各々の輝度の和で表される。このときのサブフレームの１フレーム内での発光の組み合わせ、すなわち、表現できる中間調数は２N 通りである。
【０００４】
図１はフレーム内（フレーム或いはフィールド）の各サブフレームの点灯シーケンスの一例を示すタイミング図であり、上記中間調表示方法を用いた場合の１フレーム内の表示シーケンスを示すものである。
図１に示されるように、１フレーム（１フィールド）は８枚（Ｎ＝８）の輝度の重みの異なるサブフレーム（発光ブロック）で構成され、輝度の重みの大きい方からＳＦ７，ＳＦ６，・・・，ＳＦ０と呼ばれている。ここでＳＦ７を最上位ｂｉｔ（ＭＳＢ）側、ＳＦ０を最下位ｂｉｔ（ＬＳＢ）側と呼んでいる。各々のサブフレームは１フレームの中にＳＦ０，ＳＦ１，・・・，ＳＦ７と輝度の重みの小さいものから順に並んでいる。
【０００５】
しかし、図１のようにサブフレームが並んでいる表示シーケンスの場合（２５６階調の場合）において、輝度の大きさが同じ位で、発光しているサブフレームの重なりが無いか、或いは時間的に少ない中間階調レベルがフレーム毎に交互に点灯した場合、そのセルの発光がフレーム周波数の半分の周期になり、フリッカが発生し表示品位を著しく阻害していることが知られている。
【０００６】
図２は中間階調レベルが１２７と１２８における各サブフレームの点灯状態の一例を示す図である。図２から明らかなように、中間階調レベル１２７では、サブフレームＳＦ０〜ＳＦ６が全て点灯してＳＦ７だけが点灯せず、また、中間階調レベル１２８では、サブフレームＳＦ０〜ＳＦ６が全て点灯せずにＳＦ７だけが点灯する。
【０００７】
従って、図２に示されるように、例えば、中間階調レベルの１２７と１２８がフレーム毎に交互に点灯した場合、１フレームの期間、全く点灯しない期間と点灯する期間が交互に繰り返されることになる。
すなわち、フレーム周期の半分の点灯周期となり、フリッカが発生する。上記のような特定の中間階調レベル間を交互に繰り返す表示は、なだらかに輝度が変化している部分のアナログ映像表示データをＡ／Ｄ変換する場合においてフレーム間（フレーム或いはフィールド間）における変換誤差やノイズの影響等で絶えず発生している。
【０００８】
そのため、Ａ／Ｄ変換時の誤差やノイズ等がフリッカとして増幅されて表示され、映像品位を落としているという問題があった。
そこで、上記のフリッカを改善する中間調表示方法として、例えば、日本国特開平３−１４５６９１号公報に示されるように、サブフレーム配列を、ＳＦ０，ＳＦ２，ＳＦ４，ＳＦ６，ＳＦ７，ＳＦ５，ＳＦ３，ＳＦ１のように配列することにより改善されることが報告されている。
【０００９】
また、図１の中間調表示においては、輝度の大きさが同じ位で、発光しているサブフレームの重なりが無いか、或いは時間的に少ない中間階調レベルを隣合わせて表示した場合、それらの境界部にフリッカが発生し、表示品位を著しく阻害され、それは輝度が高いほど激しく起こることが知られている。そこで、このフリッカを改善するために、例えば、日本国特開平４−１２７１９４号公報に示されるように最上位サブフレームの発光を２分割し、それより小さいサブフレームを挟んで配置することにより改善することも提案されている。
【００１０】
また、上記のような中間調表示方法において、動画像部の動きに滑らかさが無く映像品位を損ねているということが、日本国特開平５─１２７６１２号公報に報告され改善方法が提案されている。
日本国特開平５─１２７６１２号公報の中間調表示方法は、７０Ｈｚ以下のフレーム周波数の入力画像信号の入力において、表示装置のフレーム周波数を２倍に上げる手段を設け、２倍に上げられたフレーム内で、最上位ビットを表示するサブフレームを含む正規ビットを表示する１つ以上の正規ビット用サブフレームと正規ビット未満のビットを表示する１つ以上の非正規ビット用サブフレームを持つように構成する。そして、静止画像部については２倍に上げたフレームの２フレーム単位で処理を行い、動画像については２倍に上げた各フレーム単位で中間調を表示する表示装置の制御方法と、２倍に上げたフレームの表示データを新たに作成するために入力画像信号に基づいて画像信号を新たに作成する処理を行うようになっている。
【００１１】
図３は第１のフレームと第２のフレームにおける点灯状態を説明する図である。同図において、参照符号３１は第一フレーム、また、３２は第二フレームを示し、第一および第二のフレーム３１、３２は２倍に上げられたフレームを示している。ここで、２倍に上げたフレーム間で同じ輝度の重みに設定されているサブフレームを正規ビット用サブフレームと呼び、３１ａ、３１ｂ、３２ａ、３２ｂを示している。また、それ以外のサブフレームを非正規ビット用サブフレームと呼ぶ。
【００１２】
上記した従来の技術では、静止画および動きの遅い動画像部の表示では、中間調乱れは改善されたが、動きの速い動画部では中間調乱れが依然発生していることが動画像の表示実験により判った。この中間調乱れの発生機構をフレーム内のサブフレーム数が６個で、フレーム内のサブフレーム配列がフレームの先頭側よりＳＦ５，ＳＦ４，ＳＦ３，ＳＦ２，ＳＦ１，ＳＦ０，の場合（６４階調の場合）について、図４〜図７を参照しながら以下において説明する。
【００１３】
図４は従来の方法における中間調輝度の乱れの発生原因の一例を説明する図、図５は従来の方法における中間調輝度の乱れの発生原因の他の例を説明する図、図６は従来の方法における中間調輝度の乱れの発生原因のさらに別の例を説明する図、そして、図７は中間階調レベルが３１から３２に変化する場合におけるサブフレームの分離状態の一例を示す図である。
【００１４】
図４に示されるように、例えば、青色の縦１ラインのＳＦ５を点灯させた表示を右側から左側へスクロールする表示において、１フレームに１ピクセル移動させた場合、あたかも点灯していない他の色のセルの上を移動しているように見え、スムーズな動きが観測される。このスムーズな動きは１フレームに移動するピクセルがかなり大きな場合でも観測される。この現象は心理学の分野で仮現運動、或いは、β運動と呼ばれている。
【００１５】
次に、青色の縦１ラインのＳＦ５，ＳＦ４を点灯させた表示を１フレームに１ピクセルづつ右側から左側へスクロールさせると、図４に示すようにサブフレームの発光が空間的に分離されて表示されているのが観測される。便宜上、ＳＦ５の発光は青色のセル（Ｂ）上に表現されているが、上記と同じ理由でそれらの発光は赤色のセル（Ｒ）緑色のセル（Ｇ）上をあたかも移動しているように見える。
【００１６】
これは、ＳＦ５が点灯してから表示データの書き込み期間の約２msecの時間遅れてＳＦ４が発光した時には上記で説明した仮現運動により、ＳＦ５の発光はスクロール方向側に移動しており、あたかもＳＦ４の発光がＳＦ５の発光を追いかけているように、人の目が認識してしまうためである。同じように１フレーム内に全サブフレームを点灯させスクロールすると図５に示すように、１ピクセル内にＳＦ５〜ＳＦ０の発光が空間的に分離されて発光してるように見える。
【００１７】
図６は１フレームに２ピクセル移動した場合の観測結果である。この場合、実際に発光しているセルの間隔が２ピクセルとなり移動距離が長くなった分だけ、仮現運動で移動する光の速さが大きくなる。従って、ＳＦ５が発光してから約２msecの時間遅れてＳＦ４が発光した時には、ＳＦ５の発光部はより遠くに移動していることになり、サブフレームの空間的な発光間隔が拡がったように見える。観測結果より仮現運動発生時のサブフレームの空間的な拡がり（分離）は、１フレームの期間に移動したピクセル内に拡がることが判った。
【００１８】
従って、本来同じセルで発光しているべき各々のサブフレームの発光が動画像部では異なる場所（セル）で発光していることになり、セルの中間調輝度が各サブフレームの和で表現できなくなり、動画部で中間調輝度に乱れが発生していることが判った。
具体的な例として、単色のグラディエーション表示を勾配方向にスクロールした場合において、特定の中間階調レベルの境界部に明線や暗線が発生する。この説明を図７〜図９を参照して行う。
【００１９】
フレーム内のサブフレーム数が６個で、その配列が輝度の重たいものからフレームの先頭側より配置されている表示方法において、表示画面の左側から右側へ中間階調レベルを大きくしていく青色のグラディエーション表示を行い、輝度の高い勾配方向にスクロール、すなわち、右側にスクロールするとサブフレームの点灯数が大きく異なる中間階調レベル間の境界部に暗線が発生する。
【００２０】
例えば、中間階調レベル３１と３２、１５と１６、７と８などで発生する。図７に１フレーム毎に２ピクセル移動した場合の中間階調レベル３１と３２の境界部の暗線発生の様子を模式化して表している。
図７に示されるように、動画像部では、サブフレームの空間的な分離が発生するため、中間階調レベル３１と３２の境界部で発光していないセルが１ピクセル分発生し、暗線が発生する。
【００２１】
また、輝度の低い勾配方向にスクロール、すなわち、左側にスクロールすると図８に示すように、中間階調レベル３１と３２の境界部は、発光が密で、輝度が高くなり、明線が発生する。
なお、図９に示すように、右側にスクロールする場合でも、輝度の低い勾配方向にスクロールすれば、中間階調レベル３１と３２の境界部は、発光が密で、輝度が高くなり、明線が発生することになる。
【００２２】
ここで、単色表示や色の無い表示、すなわち、点灯サブフレームがピクセル内で各色同じであれば動画像部に発生する中間調乱れは明線や暗線として発生し、中間色の表示、すなわち、点灯サブフレームがピクセル内で色毎に異なると静止時とは異なる色が発生する。
上記従来技術を用いて動画像を表示した場合に生じる動画偽輪郭（色偽輪郭）の発生機構を、さらに図１０〜図１２を参照して詳述する。
【００２３】
図１０は表示画像をスクロールした状態を示す図であり、同図（ａ）は左側から右側へ表示画像を１フレーム毎に１画素スクロールした状態を示し、また、同図（ｂ）は右側から左側へ表示画像を１フレーム毎に１画素スクロールした状態を示している。ここで、図１０（ａ）および（ｂ）において、縦軸は時間ｔを示し、横軸は空間的な位置ｘを示している。また、１Ｆ〜４Ｆはそれぞれフレームを示している。
【００２４】
図１１は左側から右側へ表示画像をスクロールした時に生じる問題を説明するための図であり、また、図１２は右側から左側へ表示画像をスクロールした時に生じる問題を説明するための図である。
図１０（ａ）に示されるように、中間階調レベル１２８と１２７を隣り合わせて表示した状態で左側から右側方向に１フレーム毎に１画素移動させると、人間の目は移動物体を追従する性質があるため、網膜上の座標原点は図中の破線矢印（ＲＯＲ）上を移動することになる。この状態を網膜上の座標を固定して、図を書き直したものが図１１（ａ）である。図１１（ａ）における横軸の目盛りは、網膜上の位置を示し、表示画像が１フレーム期間に移動する距離（網膜上の長さ）を１としている。
【００２５】
同様に、図１０（ｂ）に示されるように、中間階調レベル１２８と１２７を隣り合わせて表示した状態が右側から左側方向に１フレーム毎に１画素移動させると、人間の目は移動物体を追従する性質があるため、網膜上の座標原点は図中の破線矢印（ＲＯＬ）上を移動することになる。この状態を網膜上の座標を固定して、図を書き直したものが図１２（ａ）である。なお、図１２（ａ）における横軸の目盛りは、図１１（ａ）における横軸の目盛りと同様である。
【００２６】
ここで、中間階調レベル１２７は、サブフレームＳＦ０〜ＳＦ６が全て点灯してＳＦ７だけが点灯しない状態であり、また、中間階調レベル１２８は、サブフレームＳＦ０〜ＳＦ６が全て点灯せずにＳＦ７だけが点灯する状態である。また、図１１（ａ）および図１２（ａ）では、説明を簡単にするため、放電セルには面積を持たせていない。
【００２７】
まず、図１１（ｂ）に示されるように、中間階調レベル１２８と１２７を隣り合わせて表示した状態で左側から右側へ表示画像をスクロールすると、網膜上の位置（ｘ）においける輝度Ｋ（ｘ）は、中間階調レベル１２８と１２７との間に間隙が生じることになる。その結果、図１１（ｃ）に示されるように、網膜上の刺激量Ｌ（ｘ）が上記中間階調レベル１２８と１２７との間の間隙で落ち込む（バレーを示す）ことになる。
【００２８】
すなわち、図１１（ｃ）に示されるように、ｘ＝２．５〜３．５，３．５〜４．５，４．５〜５．５のそれぞれの刺激量の積分値をＬ（１），Ｌ（２），Ｌ（３）とすると
Ｌ（１）≒Ｌ（３）＞＞Ｌ（２）
となっていることが判る。すなわち、中間階調レベル１２８と１２７の境界部に暗線ＤＬが発生する。この現象が中間調乱れの発生機構である。
【００２９】
なお、網膜上の刺激量Ｌ（ｘ）は、以下の式により表される。
【００３０】
【数１】
0003712802.tif 000002
【００３１】
ここで、λは任意の整数を示している。なお、上記の式における積分範囲は、λ−０．５からλ＋０．５までとしたが、この積分範囲の取り方は任意であり、中間調乱れの生じる範囲にほぼ等しくすることが望ましい。
次に、図１２（ｂ）に示されるように、中間階調レベル１２８と１２７を隣り合わせて表示した状態で右側から左側へ表示画像をスクロールすると、網膜上の位置（ｘ）においける輝度Ｋ（ｘ）は、中間階調レベル１２８と１２７とが連続することになる。その結果、図１２（ｃ）に示されるように、網膜上の刺激量Ｌ（ｘ）が上記中間階調レベル１２８と１２７との境界でピークを示すことになる。
【００３２】
すなわち、図１２（ｃ）に示されるように、ｘ＝２．５〜３．５，３．５〜４．５，４．５〜５．５のそれぞれの刺激量の積分値をＬ（１），Ｌ（２），Ｌ（３）とすると
Ｌ（１）≒Ｌ（３）＜＜Ｌ（２）
となっていることが判る。すなわち、中間階調レベル１２８と１２７の境界部に明線ＢＬが発生する。
【００３３】
これは、色の有る中間階調レベルを移動した場合、例えば、緑色の中間階調レベル１２８と１２７、赤色の中間階調レベル６４のみを右側から左側へ移動した場合には、緑色の中間階調レベル境界部には暗線が発生するが、赤色は中間階調レベルの境界が存在しないため一定の輝度レベルを示すことになる。すなわち、人は、各色を合成した結果を認識するため、緑色の暗線部は赤色が目立って、色の輪郭が発生する。
【００３４】
上記現象は、特に滑らかに中間階調レベルが変化している肌色部分に顕著に発生し、それは人が振り返る映像における頬部分に赤や緑の輪郭（色偽輪郭）を発生することになる。
そこで、本発明者達は、日本国特願平８−１９８９１６号において、各々の画素の階調レベルが変化する場合、該変化の状態に従って各画素に予め定められた輝度調整のための発光ブロック（等化パルス）を加え、或いは、減ずるようにした中間調表示方法および表示装置を提案した。
【００３５】
【発明が解決しようとする課題】
図１３は日本国特願平８−１９８９１６号で提案した関連技術としての中間調表示方法の一例を説明するための図である。
図１３（ａ）は表示階調が１２７レベルから１２８レベルに変化するときの、放電セルの発光状態Ｉ（ｔ）を示す。なお、横軸ｔは時間を示している。図１３（ａ）に示されるように、初めの２フィールド（１Ｆ，２Ｆ）は１２７レベルで、次の２フィールド（３Ｆ，４Ｆ）は１２８レベルとなっている。
【００３６】
この発光状態Ｉを人間の目で観測すると、網膜刺激強度Ｐ（ｔ）は、図１３（ｂ）のようになる。網膜刺激強度Ｐは、１２７レベルを表示している期間はＰ１とＰ２の間で周期的に変化する。しかしながら、１２８レベルを表示するフィールド（３Ｆ）の初めでは、この値はＰ２よりも低くなってしまう。さらに、１２８レベルのフィールド（４Ｆ，・・・）が十分続くと、刺激強度は再びほぼＰ１とＰ２との間における振動へ戻る。
【００３７】
この網膜刺激強度Ｐが一時的に低くなる現象のため、目には中間調が乱れて観測される。視認される強度Ｂ（ｔ）は網膜を刺激する強度Ｐ（ｔ）を残像程度の時間で積分したものであり、ほぼ図１３（ｃ）のようになる。図中、もしＳ１＜Ｓ２＜Ｓ３の関係が満足されていれば、中間調の乱れは観測されない。しかしながら、図１３（ｃ）は明らかにこの関係を満足していない。この場合、階調の境目は原画像よりも暗く表れる。ここで、強度ΔＳをＳ２に補充し、Ｓ１＜Ｓ２＋ΔＳ＜Ｓ３とすれば、中間調に乱れは生じない。
【００３８】
そこで、日本国特願平８−１９８９１６号で提案した中間調表示方法では、発光強度が図１３（ｄ）で表わされる等化パルスＥＰを加える。この等化パルスＥＰによる網膜刺激強度Ｐ（ｔ）を図１３（ｅ）に示し、視認される強度Ｂ（ｔ）を図１３（ｆ）に示す。このような等化パルスＥＰを加えた結果の発光強度Ｉ（ｔ）、網膜刺激強度Ｐ（ｔ）、および、視認される強度Ｂ（ｔ）をそれぞれ図１３（ｇ）、図１３（ｈ）、および、図１３（ｉ）に示す。
【００３９】
図１３（ｃ）と図１３（ｉ）との比較から明らかなように、等化パルスＥＰを加える（ＥＰＡ）ことにより、視認される発光強度の乱れが減少していることが判る。ここで、挿入する等化パルスＥＰは、負の場合（ＥＰＳ）も有り得る。このときは発光ブロックの幅を狭くして、輝度を減らすことになる。
このような等化パルスの挿入は、例えば、図１４に示す回路により実現することができる。
【００４０】
図１４は関連技術における輝度調整用発光ブロック挿入回路の一例を示すブロック図である。同図において、参照符号３１０は１垂直同期期間（１Ｖ）の遅延を与えるためのフレームメモリ、４００は輝度調整用発光ブロック追加回路、４１０は等化パルス判別回路、そして、４２０は等化パルス追加回路を示している。
【００４１】
図１４に示す輝度調整用発光ブロック挿入回路において、等化パルス判別回路４１０は、比較回路（比較部）４１０ａおよびルックアップテーブル（ＬＵＴ：ＲＯＭ）４１０ｂにより構成され、また、等化パルス追加回路４２０は加算部（加算回路）として構成されている。比較部４１０ａは、第ｎフレームのビットデータと該第ｎフレームの次の第ｎ＋１フレームのビットデータとを比較し、該ビットデータが点灯から非点灯になったビットに対しては“＋１”、非点灯から点灯になったビットに対しては“−１”、そして、両フレーム間でデータの変化が無かったビットに対しては“０”を出力するようになっている。
【００４２】
ＬＵＴ４１０ｂは、例えば、予め所定のデータが書き込まれたＲＯＭとして構成され、比較部４１０ａの出力に応じて、予め定められた（予め書き込まれた）等化パルスを発生する。このＬＵＴ４１０ｂから出力される等化パルスは正負の符号を有している。
加算部４２０は、原信号（表示データ２１０）に対して等化パルス（正負の符号付）を加算し（等化パルスが負の場合には、減ずることになる）、等化パルス加減後の表示信号（２２０）を出力するようになっている。
【００４３】
日本国特願平８−１９８９１６号において提案した関連技術の中間調表示方法（等化パルス法）は、目に入力する全光束が原信号と等しくなるという点では勝れている。すなわち、図１３（ｉ）におけるＳ２＋ΔＳの区間は、視認される強度に時間的増減はあるものの、総量はＳ１或いはＳ３とほぼ等しくなっている。従って、表示画像をディスプレイ装置（ＰＤＰ画面）から十分離れて見れば、中間調の乱れは視認できず、中間調輝度の乱れが改善されることになる。
【００４４】
ところで、上記の『全光束が原信号と等しい』という内容は、静止画像に対しても動画像に対しても正しいが、動きの速い画像に対して視認される強度の空間的非一様性が激しくなると、必ずしも満足できる画質が得られない。
図１５〜図２２は関連技術の中間調表示方法の適用の有無による各移動速度（各移動方向）でのシミュレーション結果を示す図であり、図１５および図１９は画像が左方向および右方向に１画素／フレームで、図１６および図２０は画像が左方向および右方向に３画素／フレームで、図１７および図２１は画像が左方向および右方向に４画素／フレームで、図１８および図２２は画像が左方向および右方向に５画素／フレームで動いている場合を示している。ここで、原画像の左半分は１２７レベルの中間調、右半分は１２８レベルの中間調を表示しており、また、各図においても、実線は等化パルスを加えない場合、破線は関連技術の中間調表示方法に従って等化パルスを加えた場合を示している。縦軸は輝度、横軸は表示画像とともに動く座標軸上、すなわち網膜上の位置を示している。なお、各図においても、一点鎖線は、本発明の中間調表示方法に従って等化パルスを加えた場合を示している。
【００４５】
図１５および図１９に示されるように、例えば、１画素／フレーム（３サブピクセル／フレーム）のように移動速度が遅い場合には、関連技術の中間調表示方法による正または負の等化パルスを加えることにより、中間調表示特性が十分に改善されることが判る。特に、等化パルスを加えないときは輝度の乱れは正または負だけであるが、等化パルスを加えたときは、輝度の乱れの増分と減分とがキャンセルし合っていることが判る。
【００４６】
しかしながら、図１６〜図２０および図１８〜図２２に示されるように、移動速度が大きくなるに連れて乱れが大きくなり、特に、図１８および図２２に示される５画素／フレームで画像が動いている場合には、明らかな画質の低下として認識されてしまうことになる。
本発明は、上述した中間調表示方法が有する課題に鑑み、画像の移動速度が増大しても、中間調表示に乱れの生じない、すなわち、映像の動画偽輪郭（色偽輪郭）を十分に改善することのできる中間調表示方法および表示装置の提供を目的とする。
【００４７】
【課題を解決するための手段】
本発明の第１の形態によれば、画像を表示するために各々のフレーム或いはフィールド内に予め定められた複数の発光ブロックを有し、該発光ブロックの組み合わせで中間調を表示する装置に対する中間調表示方法であって、各々の画素における特定の発光ブロックの点灯パターンが連続するフレーム或いはフィールド間において変化する場合、該点灯パターンのフレーム或いはフィールド間変化が等しい画素が表示画面上で直線的に連続する数を算定し、該連続する画素数および前記点灯パターンのフレーム或いはフィールド間変化の状態に従って予め定められた輝度調整用発光ブロックを選択し、該選択された輝度調整用発光ブロックを前記連続する画素の原信号に加え、或いは、減ずるようにしたことを特徴とする中間調表示方法が提供される。
【００４８】
また、本発明の第２の形態によれば、画像を表示するために各々のフレーム或いはフィールド内に予め定められた複数の発光ブロックを有し、該発光ブロックの組み合わせで中間調を表示する表示装置であって、各々の画素における特定の発光ブロックの点灯パターンが連続するフレーム或いはフィールド間において変化する場合、或るフレームと、当該フレームに連続するフレームにおける特定のビットの変化を検出する手段と、該特定のビットが変化する画素が表示画面上で直線的に連続する数を算定する手段と、該算定された画素数および前記特定のビットの変化の状態に従って、予め定められた輝度調整用発光ブロックの大きさを選択する手段とを備え、前記特定のビットの変化する画素の原信号に対して前記輝度調整用発光ブロックを加え、或いは、減ずるようにしたことを特徴とする表示装置が提供される。
【００５０】
図２３は本発明が適用されるフィールド内パルス幅／数変調方式の例を説明するための図であり、図２３（ａ）は図１に対応するものである。
本発明は、図２３（ａ）に示すようなアドレス期間と維持放電期間（発光期間）が分離された点灯シーケンスの表示装置だけでなく、図２３（ｂ）に示すようなアドレス期間が維持放電期間に分散しているような表示装置、或いは、他の様々な１フレームを輝度の重みの異なる複数の発光ブロック（サブフレーム）により構成した表示装置に対して適用することができる。
【００５１】
【発明の実施の形態】
本発明の中間調表示方法によれば、各々の画素における特定の発光ブロックの点灯パターンが連続するフレーム或いはフィールド間において変化する場合、該点灯パターンのフレーム或いはフィールド間変化と等しい変化をする画素が表示画面上で直線的に連続する数が算定される。さらに、連続する画素を挟む２つの画素のフレーム或いはフィールド内での点灯ブロックの状態が検出され、この連続する画素数、連続する画素を挟む２つの画素の状態および点灯パターンのフレーム或いはフィールド間変化の状態に従って予め定められた輝度調整用発光ブロックが選択される。そして、この選択された輝度調整用発光ブロックが連続する画素の原信号に加え、或いは、減ずるようにされる。
【００５２】
なお、本発明は、上記の中間調表示処理をコンピュータに実行させるためのプログラムを記録した媒体として提供することができる。
また、本発明の表示装置によれば、検出手段により、或るフレームと、該フレームに連続するフレームにおける特定のビットの変化が検出され、また、算定手段により、該特定のビットが変化する画素が表示画面上で直線的に連続する数が算定される。さらに、選択手段により、算定された画素数および特定のビットの変化の状態に従って、予め定められた輝度調整用発光ブロックの大きさが選択され、特定のビットの変化する画素の原信号に対して輝度調整用発光ブロックが加えられ、或いは、減じられる。
【００５３】
これによって、画像（画素）の移動速度が増大しても、中間調表示に乱れを生じることがなく、すなわち、移動速度の大きい動画像における映像の動画色偽輪郭を改善することができる。
【００５４】
【実施例】
以下に、本発明に係る中間調表示方法を実現する表示装置の具体例を図面を参照しながら詳細に説明する。
図２４は、上述した本発明に係る中間調表示方法を実施する場合の表示装置の一例を示すブロック図である。図２４において、参照符号１００は表示装置、２００は輝度調整用発光ブロック挿入手段を示している。ここで、参照符号２１０は原信号（表示データ）を示し、２２０は輝度調整用発光ブロック挿入後の信号を示している。
【００５５】
図２４に示されるように、表示装置１００は、画像表示部（ディスプレイパネル）１０２、該画像表示部１０２を駆動するＸデコーダ１３１並びにＸドライバ１３２、Ｙデコーダ１４１並びにＹドライバ１４２、および、Ｘドライバ１３２並びにＹドライバ１４２を駆動制御する制御部５を備えて構成されている。
ここで、１フレームの画像は、例えば、複数個のサブフレーム（発光ブロック）により階調を変化させながら画像表示部１０２に表示するようになており、該複数個のサブフレームは、例えば、それぞれアドレス期間と維持放電期間とで構成されている。なお、本発明が適用される表示装置としては、プラズマディスプレイ等のガス放電パネルの他に、フレーム或いはフィールド内時間分割法で中間調表示を行う様々な表示装置、例えば、ＤＭＤ（Digital Micromirror Device) やＥＬパネル等に対しても適用可能なのはもちろんである。
【００５６】
すなわち、図２４における表示装置１００は、基本的には、サブフレーム利用の階調表示を行う構造のものであれば、如何なるパネルでも使用することが可能であり、本発明の適用は、表示データ（原信号２１０）を輝度調整用発光ブロック挿入手段２００を介して表示装置１００に供給すればよいことになる。ここで、輝度調整用発光ブロック挿入手段２００は、原信号２１０のフレーム（或いは、フィールド）間の信号の変化の有無に従って、該原信号に輝度調整用の発光ブロック（等化パルス：サブフレーム）を加え、或いは、減じた信号２２０を出力するようになっている。
【００５７】
本発明に係る中間調表示方法および表示装置の特徴は、例えば、プラズマディスプレイパネル（ＰＤＰ）の放電セルに加える等化パルスの総量を一定に保ちつつ、表示画像の動きに対して視認される発光強度パターンの場所的変化が一様となるように各等化パルスに重み付けをするものである。これにより、全発光光束に変化を与えることなく、輝度の乱れを小さくすることができる。
【００５８】
図２５〜図２８は本発明に係る中間調表示方法の一実施例を説明するための図であり、正の重み付け等化パルスＥＰＡを付加する場合を示すものである。ここで、本実施例は、図２３（ｂ）に示す１フレームを８ビットのサブフレームＳＦ０〜ＳＦ７に分割して階調表示を行う場合を前提として説明される。
図２５は、画像を左方向へ３画素／フレームの速度で移動する場合を示し、縦軸は時間ｔ（フレーム時間：１Ｆ，２Ｆ，３Ｆ）を示し、横軸はディスプレイパネルの水平ライン上での位置Ｘ（画素Ａ，Ｂ，Ｃ，・・・）を示している。なお、説明を簡略化するために、ここでは単色表示を考えるが、カラー表示の場合は各々の色（Ｒ，Ｇ，Ｂ）について考え、これらを加え合わせればよい。また、画素の面積は十分小さいとしている。縦軸は時間ｔで、Ｆはフレーム時間を表す。
【００５９】
図２５において、縦線は各画素の発光状態を示し、第１フレーム（０≦ｔ＜Ｆ）では画素Ａ〜ＣおよびＰは非発光、画素Ｄ〜Ｉは１２７階調レベルで発光し、そして、画素Ｊ〜Ｏは１２８階調レベルで発光している。従って、このフレームの前半では画素Ｄ〜Ｉが、後半では画素Ｊ〜Ｏが発光する。第２フレーム（Ｆ≦ｔ＜２Ｆ）では、画素Ａ〜Ｆが１２７階調レベルで発光し、画素Ｇ〜Ｌは１２８階調レベルに変るため、第２フレームの前半では画素Ａ〜Ｆが発光し、そして、後半では画素Ｇ〜Ｌが発光する。以下、同様な発光パターンが続くものとする。
【００６０】
パネル内の全水平ラインに同一のパターンを表示すると、目には縦に長いベルトパターンが見える。このベルトの左半分の６画素は１２７階調レベル、右半分の６画素は１２８階調レベルで発光しており、さらに、該パターンは１フレーム当たり３画素（３画素／フレーム）の速度で左方向に移動している。発光の位置および時間的変化は離散的であるが、目はこれをスムーズな動きとして捕え、網膜の中心は、このベルトパターンを追うことになる。
【００６１】
図２６（ａ）において、横軸は網膜上に固定した位置座標ｘをとっている。画像が左方向へ移動する場合には、目がパターンを追うため、網膜上に投影される画素は相対的に網膜上を右方向に移動する。従って、図２６（ａ）では、右下がりの直線上を動くことになる。図２６（ａ）において、左側は１２７階調レベルであり、また、右側は１２８階調レベルである。ここで、図２６（ａ）の上部に示した画素記号Ａ〜Ｐは、時間ｔ＝０のときの位置であり、時間と共に右方向に移動する。
【００６２】
図２６（ｂ）は、網膜が認識する発光強度の場所的変化を示すものであり、時間ｔ＝０．５Ｆと１．５Ｆとの間（１フレーム分の長さに対応）の発光を積分したものである。なお、以下の図２７、図２８等においても同様である。
図２６（ｂ）に示されるように、１２７階調レベルと１２８階調レベルとの間には、暗い発光部ＤＰが表れている。この時間の範囲では画素Ｇ，ＨおよびＩの３画素が、第１フレームと第２フレームの間で１２７階調レベルから１２８階調レベルに移行するため、全く発光しない期間が１フレーム（ＤＤ）生じることになる。これが、暗い発光部ＤＰが発生する原因である。
【００６３】
従って、３つの画素（Ｇ，Ｈ，Ｉ）に等化パルスを加える必要がある。図２７（図２７（ａ))は、本発明者達が日本国特願平８−１９８９１６号において提案した関連技術の中間調表示方法（等化パルス法）に対応するものであり、画素Ｇ，Ｈ，Ｉに対して、それぞれの原信号に等化パルスＥＰＡを重畳した例を示している。ここで、等化パルスＥＰＡの大きさは、図１３を参照して説明したように、例えば、輝度レベル６３と計算できる。
【００６４】
図２７（ｂ）に示されるように、網膜が認識する発光強度は図２６（ｂ）に比べると、改善されていることが判る。特に、１２７或いは１２８の輝度レベル（階調レベル）と比較して明るすぎる量と暗すぎる量とが相殺しているため、ディスプレイパネルから十分離れた位置から表示画像を観測すると、中間調の乱れは視認できなくなる。
【００６５】
しかしながら、パネルを近くから観察すると、輝度の増減は視認されることになり、さらに、図１５〜図１８のシミュレーション結果を参照して説明したように、画像（画素）の移動速度が３画素／フレームからさらに大きい場合（４画素／フレーム、或いは、５画素／フレーム等の場合）には、この輝度の増減はさらに目立つようになる。
【００６６】
図２８は本発明の中間調表示方法により等化パルスに重み付けをした一実施例を示すものであり、正の重み付け等化パルスＥＰＡを付加する場合を示すものである。
図２８（ａ）に示されるように、本実施例では、画素Ｇに対して輝度レベル１２７の等化パルスＥＰＡ１を付加し、画素Ｈに対して輝度レベル６３の等化パルスＥＰＡ２を付加し、そして、画素Ｉに対して輝度レベル０の等化パルスＥＰＡ３を付加する（すなわち、画素Ｉには等化パルスを付加しない）ようになっている。これらの等化パルスの総量（ＥＰＡ１＋ＥＰＡ２＋ＥＰＡ３＝１２７＋６３＋０＝１９０）は、図２７で加えた等化パルスの総量（３・ＥＰＡ＝１８９）とほぼ等しくなるように設定されている。
【００６７】
図２８（ｂ）に示されるように、網膜が認識する発光強度は図２７（ｂ）に比べてさらに改善されることが判る。
図２９は図２５に示す発光パターンに図２８に示す等化パルスを重ね書きした様子を示す図であり、図３０は図２９に示す発光パターンの具体的な発光波形を示す図である。
【００６８】
図２９および図３０に示されるように、画像を左方向へ３画素／フレームの速度で移動する場合、本発明の中間調表示方法の一実施例によれば、水平方向の第Ｇラインの表示階調がフレーム間にまたがって１２７レベルから１２８レベルに変化する位置に対して、輝度レベル１２７の等化パルスＥＰＡ１（例えば、ＳＦ０〜ＳＦ６：図中の斜線部分参照）を原信号に重畳し、また、水平方向の第Ｈラインの表示階調がフレーム間にまたがって１２７レベルから１２８レベルに変化する位置に対して、輝度レベル６３の等化パルスＥＰＡ２（例えば、ＳＦ０〜ＳＦ５：図中の斜線部分参照）を原信号に重畳する。なお、水平方向の第Ｉラインの表示階調がフレーム間にまたがって１２７レベルから１２８レベルに変化する位置に対しては、輝度レベル０の等化パルスＥＰＡ３を原信号に重畳、すなわち、原信号のままとする。これにより、動画像に発生する中間調の乱れを防止することができる。
【００６９】
図３１は図２８に示す発光パターンを縦軸を圧縮して示す図であり、０．５Ｆ〜１．５Ｆの範囲の発光パターンを圧縮して示し、後述する図４０〜図４４等における１フレーム間の各画素の発光に対応するものである。
図３２は本発明に係る中間調表示方法の一実施例の変形例を説明するための図であり、等化パルスに重み付けをした別の例である。
【００７０】
図３２（ａ）に示されるように、本変形例では、画素Ｇ，Ｈ，Ｉに対してそれぞれに輝度レベル９５，９５，０の等化パルスＥＰＡ１，ＥＰＡ２，ＥＰＡ３を付加している。ここで、等化パルスの総量は、図２８に示す実施例と同様に一定（ＥＰＡ１＋ＥＰＡ２＋ＥＰＡ３＝９５＋９５＋０＝１９０）に保つようになっている。
【００７１】
図３２（ｂ）に示されるように、本変形例により、画素Ｇ，Ｈ，Ｉに対して輝度レベル９５，９５，０の等化パルスＥＰＡ１，ＥＰＡ２，ＥＰＡ３を付加した場合、図２７（ｂ）との比較から明らかなように、視認輝度の一様性は大幅に改善されていることが判る。ここで、画素ＧおよびＨに対して、輝度レベル９５の等化パルスＥＰＡ１およびＥＰＡ２を図３２（ａ）に示す位置において付加するためには、例えば、発光サブフレームの配列を図３３のように変更する必要がある。
【００７２】
図３３は図３２の変形例に使用する等化パルスを生成するための発光サブフレームの配列を示す図であり、階調レベルが６４の発光ブロック（サブフレーム）ＳＦ６を先頭に配置し、その後に発光ブロックＳＦ０〜ＳＦ５を設け、さらに、最後に階調レベル１２８の発光ブロックＳＦ７を配置するようになっている。そして、等化パルスＥＰＡ１，ＥＰＡ２の輝度レベル９５を、発光ブロックＳＦ６および発光ブロックＳＦ０〜ＳＦ４により得るようになっている。このように、発光サブフレームの配列は、様々な中間調および画像の移動速度に対する重み付け等化パルスの輝度レベルを勘案して定めることになる。
【００７３】
次に、図３４〜図３７を参照して、本発明の中間調表示方法により等化パルスに重み付けをした他の実施例（負の重み付け等化パルスＥＰＳを付加する場合、すなわち、等化パルスを減ずる場合）を説明する。ここで、本実施例は、図１に示す１フレームを８ビットのサブフレームＳＦ０〜ＳＦ７に分割して階調表示を行う場合を前提として説明される。なお、図３４〜図３６は、前述の図２６〜図２８に対応し、図３７は図３２に対応している。
【００７４】
図３４〜図３７は、画像を左方向へ３画素／フレームの速度で移動する場合を示し、縦軸は時間ｔ（フレーム時間：１Ｆ，２Ｆ，３Ｆ）を示し、横軸は網膜上に固定した位置座標ｘを示している。
第１フレーム（０≦ｔ＜Ｆ）では画素Ａ〜ＣおよびＰは非発光、画素Ｄ〜Ｉは１２８階調レベルで発光し、そして、画素Ｊ〜Ｏは１２７階調レベルで発光している。従って、このフレームの前半では画素Ｊ〜Ｏが、後半では画素Ｄ〜Ｉが発光する。第２フレーム（Ｆ≦ｔ＜２Ｆ）では、画素Ａ〜Ｆが１２８階調レベルで発光し、画素Ｇ〜Ｌは１２７階調レベルに変るため、第２フレームの前半では画素Ｇ〜Ｌが発光し、そして、後半では画素Ａ〜Ｆが発光する。以下、同様な発光パターンが続くものとする。ここで、パネル内の全水平ラインに同一のパターンを表示すると、目には縦に長いベルトパターンが見える。このベルトの左半分の６画素は１２８階調レベル、右半分の６画素は１２７階調レベルで発光しており、さらに、該パターンは１フレーム当たり３画素（３画素／フレーム）の速度で左方向に移動している。発光の位置および時間的変化は離散的であるが、目はこれをスムーズな動きとして捕え、網膜の中心は、このベルトパターンを追うことになる。なお、前述したように、画像が左方向へ移動する場合には、目がパターンを追うため、網膜上に投影される画素は相対的に網膜上を右方向に移動することになる。
【００７５】
図３４（ａ）に示されるように、３つの画素Ｇ，Ｈ，Ｉは、第１フレームＦにおける１２８階調レベルから、第２フレーム２Ｆにおける１２７階調に移行するため、連続して発光する期間が１フレームできてしまう。
図３４（ｂ）は、網膜が認識する発光強度の場所的変化を示すものであり、時間ｔ＝０．５Ｆと１．５Ｆとの間（１フレーム分の長さに対応）の発光を積分したものである。なお、以下の図３５〜図３７においても同様である。
【００７６】
図３４（ｂ）に示されるように、１２８階調レベルと１２７階調レベルとの間には、明るい発光部ＢＰが表れている。この時間の範囲では３つの画素Ｇ，Ｈ，Ｉが、第１フレームと第２フレームの間で１２８階調レベルから１２７階調レベルに移行するため、連続して発光する期間が１フレーム（ＢＢ）生じることになる。これが、明るい発光部ＢＰが発生する原因である。従って、図２６の場合とは逆に、負の等化パルスを付加する（正の等化パルスを減ずる）必要がある。
【００７７】
図３５（図３５（ａ))は、本発明者達が日本国特願平８−１９８９１６号において提案した関連技術の中間調表示方法（等化パルス法）に対応するものであり、画素Ｇ，Ｈ，Ｉに対して、それぞれの原信号から等化パルスＥＰＳを減ずる（負の等化パルスを加える）ようにした例を示している。ここで、等化パルスＥＰＳの大きさは、図１３を参照して説明したように、例えば、輝度レベル６３と計算できる。
【００７８】
図３５（ｂ）に示されるように、網膜が認識する発光強度は図３４（ｂ）に比べると、改善されていることが判る。これは、前述した図２６（ｂ）と図２７（ｂ）との比較に対応する。
本実施例のように負の重み付け等化パルスを付加する場合も、前述した正の重み付け等化パルスを付加する場合と同様に、図１９〜図２２のシミュレーション結果を参照して説明したように、画像の移動速度が３画素／フレームからさらに大きい場合（４画素／フレーム、或いは、５画素／フレーム等の場合）には、この輝度の増減はさらに目立つようになる。ここで、図１９〜図２２のシミュレーション結果は、図１５〜図１８におけるものと同様に、左側の画素が１２７階調レベルで右側の画素が１２８階調レベルで発光した場合のものであるが、画像の移動方向が図１５〜図１８のシミュレーションとは逆に右方向の場合のものである。なお、図１９〜図２２に示す左側の画素が１２７階調レベルで右側の画素が１２８階調レベルで発光した画像を右方向に移動した場合のシミュレーション結果は、左側の画素が１２８階調レベルで右側の画素が１２７階調レベルで発光した画像を左方向に移動した場合（負の等化パルスを付加する必要がある場合）のものに相当する。
【００７９】
図３６は本発明の中間調表示方法により等化パルスに重み付けをした他の実施例を示すものであり、負の重み付け等化パルスＥＰＳを付加する場合を示すものである。
図３６（ａ）に示されるように、本実施例では、画素Ｇに対して輝度レベル−１２７の等化パルスＥＰＳ１を付加し（輝度レベル１２７の等化パルスを減じ）、画素Ｈに対して輝度レベル−６３の等化パルスＥＰＳ２を付加し（輝度レベル６３の等化パルスを減じ）、そして、画素Ｉに対して輝度レベル０の等化パルスＥＰＳ３を付加する（すなわち、画素Ｉには等化パルスを減じない）ようになっている。これらの等化パルスの総量（ＥＰＳ１＋ＥＰＳ２＋ＥＰＳ３＝−１２７＋（−６３）＋０＝−１９０）は、図３５で加えた等化パルスの総量（３・ＥＰＳ＝−１８９）とほぼ等しくなるように設定されている。
【００８０】
図３６（ｂ）に示されるように、網膜が認識する発光強度は図３５（ｂ）に比べてさらに改善されることが判る。
図３７は図３６の変形例を説明するための図である。図３７（ａ）に示されるように、本変形例では、画素Ｇ，Ｈ，Ｉに対してそれぞれに輝度レベル−９５，−９５，０の等化パルスＥＰＳ１，ＥＰＳ２，ＥＰＳ３を付加している。ここで、等化パルスの総量は、図３６に示す実施例と同様に一定（ＥＰＳ１＋ＥＰＳ２＋ＥＰＳ３＝−９５＋（−９５）＋０＝−１９０）に保つようになっている。
【００８１】
図３７（ｂ）に示されるように、本実施例により、画素Ｇ，Ｈ，Ｉに対して輝度レベル−９５，−９５，０の等化パルスＥＰＳ１，ＥＰＳ２，ＥＰＳ３を付加した場合、図３５（ｂ）との比較から明らかなように、視認輝度の一様性は大幅に改善されていることが判る。
以上において、本発明の中間調表示方法により正の重み付け等化パルスＥＰＡを付加する場合および負の重み付け等化パルスＥＰＳを付加する場合を説明したが、一般的に、水平方向移動に対する重み付け等化パルスの与え方、および、任意の移動速度に対する重み付け等化パルスの与え方を説明する。
【００８２】
まず、水平方向に移動する画像に対して画素の輝度レベルが１２７階調レベルと１２８階調レベルの間で変動するとき、画素の状態には、次の表１に示す４つの場合Ｃ１１〜Ｃ１４が存在する。
【００８３】
【表１】
0003712802.tif 000003
【００８４】
具体的に、上記の表１の場合Ｃ１１において、例えば、表示画像は左方向に３画素／フレームの速度で移動し、縦方向に長いベルトは左半分が１２７階調レベルで右半分が１２８階調レベルである。このとき、視点が移動するベルトに追従すれば、階調の境目に暗線が表れる。この階調の乱れを防ぐには、輝度レベルが１２７から１２８に変化する画素に対して、前述した図２８に示すように、向かって左から、すなわち、１２７に近い側の１２８の画素からそれぞれ＋１２７，＋６３，０の等化パルス（ＥＰＡ１，ＥＰＡ２，ＥＰＡ３）を加えればよい。
【００８５】
また、表１の場合Ｃ１３は、例えば、表示画像は左方向に３画素／フレームの速度で移動し、縦方向に長いベルトは左半分が１２８階調レベルで右半分が１２７階調レベルである。このとき、視点が移動するベルトに追従すれば、階調の境目には明線が表れる。この階調の乱れを防ぐには、輝度レベルが１２８から１２７に変化する画素に対して、前述した図３６に示すように、向かって左から、すなわち、１２８に近い側の１２７の画素からそれぞれ−１２７，−６３，０の等化パルス（ＥＰＳ１，ＥＰＳ２，ＥＰＳ３）を加えればよい。なお、表１における場合Ｃ１２およびＣ１４は、それぞれ場合Ｃ１３およびＣ１１に対応させて理解される。
【００８６】
ここで、表１の４つの場合Ｃ１１〜Ｃ１４を纏めて示すと、各々の画素の発光輝度の変化と等化パルスの重み付けは次の表２のようになる。
【００８７】
【表２】
0003712802.tif 000004
【００８８】
上記の表２において、場合Ｃ２１は、輝度レベルが１２７から１２８に変化する場合を示し、このとき階調の境目には暗線が表れる。この乱れを防ぐには、正の等化パルス（ＥＰＡ１，ＥＰＡ２，ＥＰＡ３）を加えればよい。ここで、等化パルスの絶対値は、例えば、０，６３，１２７の３種類であるが、表示画像において輝度レベルが１２７のまま変化しない側の１２８の画素に対して絶対値の大きな等化パルスを加える。
【００８９】
また、表２において、場合Ｃ２２は、輝度レベルが１２８から１２７に変化する場合を示し、このとき階調の境目には明線が表れる。この乱れを防ぐには、負の等化パルス（ＥＰＳ１，ＥＰＳ２，ＥＰＳ３）を加えればよい。ここで、等化パルスの絶対値は、やはり０，６３，１２７の３種類であるが、表示画像において輝度レベルが１２８のまま変化しない側の１２７の画素に対して絶対値の大きな等化パルスを加える。
【００９０】
上記の表２に示されるように、画像の移動が水平方向である場合は、重み付け等化パルスの量（輝度レベル）は移動方向には関係無いことが判る。
次に、前述した図２５の例では、画像の移動速度は３画素／フレームであり、輝度レベルが、例えば、１２７から１２８に変化する画素（Ｇ，Ｈ，Ｉ）は３個連続していた。従って、これら３つの画素（Ｇ，Ｈ，Ｉ）に対して、重み付け等化パルス（ＥＰＡ１，ＥＰＡ２，ＥＰＡ３）を加えた。もし、表示画像の移動速度がｎ画素／フレームであった場合には、ｎ個の画素に等化パルスを加えればよい。
【００９１】
ここで、移動速度が整数でない場合は、その速度の前後の整数を所定の比で繰り返す。具体的に、例えば、移動速度が３．５画素／フレームの場合、第１フレームでは３画素／フレーム、第２フレームでは４画素／フレーム、第３フレームでは再び３画素／フレームと移動して、結果的に平均速度は３．５画素／フレームとなる。通常のテレビ信号サンプリング方式を用いれば、信号は自動的にこのように処理される。
【００９２】
下記の表３は、様々な水平方向移動速度（１画素／フレーム〜７画素／フレーム）に対する重み付け等化パルスの量を示すものである。
【００９３】
【表３】
0003712802.tif 000005
【００９４】
上記の表３において、例えば、図２８を参照して説明した本発明の中間調表示方法により等化パルスに重み付けをした例は、同一の発光状態が連続する画素数が３の場合（参照符号３００で示す）に対応し、輝度レベルが１２７から１２８に変化する場合には、例えば、参照符号３０１で示す等化パルスの正の符号を選択（＋１２７，＋６３，０：記号２／１／０に対応）し、等化パルス（ＥＰＡ１，ＥＰＡ２，ＥＰＡ３）として同一の発光状態が連続する画素（Ｇ，Ｈ，Ｉ）に付加する。また、輝度レベルが１２８から１２７に変化する場合（図３６の場合に対応）には、例えば、参照符号３０１で示す等化パルスの負の符号を選択（−１２７，−６３，０）を選択し、等化パルス（ＥＰＳ１，ＥＰＳ２，ＥＰＳ３）として同一の発光状態が連続する画素（Ｇ，Ｈ，Ｉ）に付加する。ここで、表３において、記号は、各等化パルスを示すもので、（２）は１２７階調レベルの等化パルス、（1.５）は９５階調の等化パルス、（１）は６３階調レベルの等化パルス、そして、（０）は０の等化パルスに対応するものである。
【００９５】
また、表３における参照符号３０２は、参照符号３０１で示す等化パルスの変形例を示すもので、輝度レベルが１２７から１２８に変化する場合には、例えば、等化パルス３０２の正の符号を選択（＋９５，＋９５，０：記号1.５／1.５／０に対応）を選択し、等化パルス（ＥＰＡ１，ＥＰＡ２，ＥＰＡ３）として画素（Ｇ，Ｈ，Ｉ）に付加（図３２の場合に対応）し、また、輝度レベルが１２８から１２７に変化する場合には、例えば、等化パルス３０２の負の符号を選択（−９５，−９５，０）を選択し、等化パルス（ＥＰＳ１，ＥＰＳ２，ＥＰＳ３）として画素（Ｇ，Ｈ，Ｉ）に付加（図３７の場合に対応）する。同様に、同一の発光状態が連続する画素数がさらに多い場合、すなわち、画像の移動速度が４画素／フレーム〜７画素／フレーム等の場合にも、上記の表３から原信号に付加する等化パルス（ＥＰＡ，ＥＰＳ）を選択して、各画素（発光状態が連続する画素）の輝度レベルを補正して表示の乱れを低減することができる。なお、各々の場合の重み付けの量（等化パルスの大きさ）は一義的に定まるものではなく、例えば、図３３を参照して説明したように、サブフレーム配列等も考慮した上で最適なものを選ぶ必要がある。
【００９６】
ところで、上述したように、本発明に係る中間調表示方法を適用することにより、動画像の表示品質を向上（偽輪郭を低減）することができることを示したが、次に、静止画に対する等化パルス重畳の影響を検討する。
本発明の中間調表示方法を適用することにより、中間調のある画面全体が静止したまま次第に明るく、或いは、次第に暗く変化する場合も、重み付けをした等化パルスが挿入されてしまう。本来なら、このような場合には、ディスプレイ画面上での視点の移動は無いため、重み付けをしない等化パルスの挿入が望ましい。
【００９７】
しかしながら、本発明の適用による重み付け等化パルス（ＥＰＡ，ＥＰＳ）が原信号に重畳された場合でも、その等化パルスは画像の階調レベルが特定の値を通過する一瞬のみにしか入らず、さらに、該等化パルスが加わるパネル上の位置は網膜上を移動するため、問題とはならない。すなわち、偽輪郭は網膜上の定位置で観測されるため目立つのであるが、乱れが網膜上を移動すれば、これは視認されず、したがって重み付け等化パルスが表示画像に与える悪影響は無視することができる。
【００９８】
図３８および図３９は本発明に係る中間調表示方法により原信号に加えられる等化パルスを説明するための図であり、図３８は理想的な等化パルス（ＥＰ）の条件を示すものであり、また、図３９は等化パルス（ＥＰ）の設定範囲の条件を示すものである。ここで、画像の移動速度ｖは、ｖ＝２画素／フレーム以上の場合を想定しており、図３８（ａ）に示されるような、輝度変化をする画素が複数個並ぶことになる。なお、図３８（ａ）は前述した図１３（ａ）に対応し、また、図３８（ｂ）は図１３（ｃ）に対応している。図３８（ｂ）において、参照符号１１は輝度レベルが１２７（ｂ０〜ｂ６）の領域を示し、１３は輝度レベルが１２８（ｂ７）の領域を示し、そして、１２は輝度レベルが１２７から１２８へ変化する領域を示している。
【００９９】
図３８（ｃ）は、図３８（ｂ）に示す領域１１，１２，１３の視認強度Ｂ（ｔ）を変化の期間Ｔで割って平均化したもの（Ｂ1 ，Ｂ2 ，Ｂ3 ）を示している。ここで、輝度調整のために加え（或いは、減じ）られた輝度調整用発光ブロック（等化パルス）の発光による網膜上の刺激の総和ΔＳは、以下の式（１）或いは（２）を満足する必要がある。
【０１００】
Ｂ1 Ｔ≦Ｂ2 Ｔ＋ΔＳ≦Ｂ3 Ｔ    …（１）
Ｂ1 Ｔ≧Ｂ2 Ｔ＋ΔＳ≧Ｂ3 Ｔ    …（２）
ここで、式（１）は輝度が上がっていく時の理想的な等化パルスの量を示し、また、式（２）は輝度が下がっていく時の理想的な等化パルスの量を示している。
【０１０１】
前述したように、例えば、図２７および図３５に示す関連技術の中間調表示方法（等化パルス法）では、付加すべき画素（Ｇ，Ｈ，Ｉ）の全てに対して、同量の等化パルスを加えるようにしていたが、上述した本実施例の中間調表示方法（重み付け等化パルス法）では、移動方向に並んだ画素（Ｇ，Ｈ，Ｉ）に対し、それぞれ重み付けした量の等化パルス（例えば、輝度レベルが１２７，６３，０の等化パルス）を付加するようになっている。
【０１０２】
ここで、本実施例の中間調表示方法においても、乱れの生じる領域全体に対して付加すべき等化パルスの量は決まっている。すなわち、本実施例の重み付け等化パルス法においても、全体の等化パルスの量は、図２７等を参照して説明した関連技術としての等化パルス法を用いた時と等しくすべきである。
従って、本実施例の重み付け等化パルス法では、移動方向に対してｎ個の等化パルスを付加すべき画素が並んでいた場合、そのｎ個の中で重み付けを行うために、該ｎ個の画素に付加する等化パルスの総和をｎΔＳとするようになっている。ただし、この等化パルスの総和は、必ずしも一致させることができるとは限らず、該等化パルスの総和は、ほぼ等しければ同等の効果を得ることができる。すなわち、本実施例の中間調表示方法は、例えば、サブフレーム配列によっては、多少値を変えた方が効果（乱れの低減）が大きくなる場合もある。
【０１０３】
以上は、理想的な条件での重み付け等化パルスの付加の仕方について述べたが、等化パルスの量（輝度調整用発光ブロックの発光による網膜上の刺激の総和）ΔＳは、ある範囲内の量であれば効果が得られることになる。すなわち、等化パルスの量ΔＳは、０から理想的な値ΔＳi の倍（等化パルスの量の最大値ΔＳm)まで効果が得られ、ΔＳをそれ以上或いはそれ以下にすると、逆に乱れが大きくなる。
【０１０４】
図３９に示されるように、理想的な等化パルスの量ΔＳi は、ΔＳi ＝((Ｂ1 ＋Ｂ3)／２−Ｂ2)Ｔとして求められる。また、等化パルスの量の最大値ΔＳm は、ΔＳm ＝（Ｂ1 ＋Ｂ3 −２Ｂ2 ）Ｔとして求められる。
従って、輝度調整用発光ブロックの発光による網膜上の刺激の総和（等化パルスの量）ΔＳは、Ｂ2 ≦（Ｂ1 ＋Ｂ3)／２のとき、以下の式（３）を満たし、
０≦ΔＳ≦（Ｂ1 ＋Ｂ3 −２Ｂ2)Ｔ  …（３）
また、Ｂ2 ≧（Ｂ1 ＋Ｂ3)／２のとき、以下の式（４）を満たす必要がある。
【０１０５】
０≧ΔＳ≧（Ｂ1 ＋Ｂ3 −２Ｂ2)Ｔ  …（４）
以上の説明では、水平方向への移動のみを考えてきたが、垂直方向への移動に関しては、上述した説明において、縦方向を横方向として考えれば、容易に理解されるであろう。以下の記載では、画像の移動方向が任意の方向の場合を順次説明する。
【０１０６】
まず、対角方向への移動、すなわち、画像が移動する方向と階調レベルが変化する方向が一致する場合を説明する。ここで、説明を簡略化するために、画素が正方行列状に並んでおり、画像は左下方へ４５度の角度で３画素／フレームの速度で移動する場合を例にとって説明する。
図４０〜図４３は本発明に係る中間調表示方法のさらに他の実施例を説明するための図である。
【０１０７】
下記の説明では、画素は正方行列状に並んでおり、画像は左下方向へ４５度の角度で３画素／フレームの速度で移動する。視点は像の動きを追従し、図４０（ａ）は網膜に固定された２次元の位置座標を示す。さらに、視点はディスプレイ上を移動するため、画素は目の残像効果により右上方へ４５度の角度で発光の尾を引きながら移動する。従って、図４０（ａ）に示されるように、画像は、右上方向へ４５度の角度で３画素／フレームの速度により網膜上を移動することになる。ここで、図４０（ａ）は、直線ＡＡの左下側の輝度レベルが１２７（ｂ０〜ｂ６）で、直線ＡＡの右上側の輝度レベルが１２８（ｂ７）となっている。また、図４０（ｂ）は、図４０（ａ）における１ライン分の画素ＣＣにおける網膜上の刺激Ｌを網膜上の位置ｘに対して描いたものである。
【０１０８】
図４０（ａ）における各直線（線分）は、１フレーム間における各画素の発光を示している。これらの直線は、図３１の縦軸を圧縮した発光パターンに対応している。また、図４０（ａ）における●印および○印は、時刻０のときの画素位置を示している。
具体的に、図４０（ａ）において、１２７階調レベル（ｂ０〜ｂ６：ＳＦ０〜ＳＦ６）の画素Ｐ１，Ｐ２，Ｐ３は、次のフレームでは、それぞれ、それまで１２８階調レベル（ｂ７：ＳＦ７）の画素Ｐ４，Ｐ５，Ｐ６の位置に来る。このとき、図４０（ａ）に示されるように、暗線部ＤＤが生じることになる。すなわち、図４０（ｂ）に示す１ライン分の画素ＣＣにおいて、暗部ＤＰが生じることになる。
【０１０９】
図４１は本発明に係る中間調表示方法による等化パルスを付加する様子を示すもので、画素Ｐ１，Ｐ２，Ｐ３が次のフレーム期間に移動する画素の位置Ｐ４，Ｐ５，Ｐ６に対して、それぞれ等化パルスＥＰＡ１（輝度レベル＋１２７),ＥＰＡ２（輝度レベル＋６３),ＥＰＡ３（輝度レベル０）を付加するようになっている。
【０１１０】
ここで、図４１において、各括弧付き数字は、それぞれ付加する等化パルスを示すもので、具体的に、（２）印は輝度レベル＋１２７の等化パルス（ＥＰＡ１）を付加する画素（例えば、画素Ｐ１）を示し、（１）は＋６３の等化パルス（ＥＰＡ２）を付加する画素（例えば、画素Ｐ２）を示し、そして、（０）は０の等化パルス（ＥＰＡ３）を付加する（すなわち、等化パルスを印加しない）画素（例えば、画素Ｐ３）を示す。なお、他のラインの各画素に対しても同様に等化パルスを付加する。これにより、図４０（ａ）に示されるような、階調の境界に現われた暗線部ＤＤを重み付け等化パルス（ＥＰＡ１〜ＥＰＡ３）を加えることにより解消することができる。
【０１１１】
図４２は、図４０（図４１）において、画像の移動速度を２画素／フレームとした場合を示すものである。この移動速度が２画素／フレームの場合には、各画素に対して、輝度レベル＋１２７の等化パルスおよび輝度レベル０の等化パルスを印加する。すなわち、図４２に示されるように、（２）で示す輝度レベル＋１２７の等化パルスを所定の画素に加えるだけでよいことになる。
【０１１２】
図４３は、図４０（ａ）において、直線ＡＡの右上側の画素の輝度レベルを１２７とし、且つ、直線ＡＡの左下側の画素の輝度レベルを１２８レベルとしたもので、図３６の場合に対応する。なお、図４３では、１ラインのみを描いてあるが、他のラインも同様である。
ここで、図４３において、●印および○印は、時刻０のときの画素位置を示している。また、（／２）印は輝度レベル−１２７の等化パルス（ＥＰＳ１）を付加する（＋１２７の等化パルスを差し引く）画素（例えば、画素Ｐ１）を示し、（／１）は−６３の等化パルス（ＥＰＳ２）を付加する画素（例えば、画素Ｐ２）を示し、そして、（０）は０の等化パルス（ＥＰＳ３）付加する画素（例えば、画素Ｐ３）を示している。
【０１１３】
これにより、図４３に示されるように、画素Ｐ１，Ｐ２，Ｐ３が次のフレーム期間に移動する画素の位置Ｐ４，Ｐ５，Ｐ６に対して、それぞれ等化パルスＥＰＳ１（輝度レベル−１２７),ＥＰＳ２（輝度レベル−６３),ＥＰＳ３（輝度レベル０）が付加される。すなわち、破線で示した等化パルスＥＰＳ１およびＥＰＳ２は、最初存在した発光を負の等化パルスで消去した部分であり、図４３から判るように、階調の境界に現われる明線部ＢＢは、負の等化パルス（ＥＰＳ１〜ＥＰＳ３）を付加することにより解消することができる。
【０１１４】
ところで、表示画像の動きの速度および方向は、通常判っていないので、このような場合の、重み付け等化パルスの与え方の手順の概略を説明する。すなわち、表示画像の移動速度および移動方向を一般化して本発明の適用を説明する。
まず、サブフレームのビットｂ５，ｂ６，ｂ７の各々の有無が連続する画素を水平方向および垂直方向に数え、連続する数の少ない方を選択する。さらに、前述した表３のＬＵＴ（ルックアップテーブル）から重み付け等化パルスの大きさを調べて、該等化パルスを原信号に付加する。
【０１１５】
表示画像が水平方向に移動する場合は、１フレーム当たりの移動速度（移動距離を画素単位で表わす）と階調の変化が同一である画素数とは一致する。任意の方向に対する移動に関しては、画像の移動方向の座標軸上で階調変化の等しい画素数を数えるべきである。しかしながら、移動方向が水平方向、垂直方向、および、対角方向の場合を除いては、画素数を数えることはできない。そこで、上述したように、階調の変化が同一である画素を水平方向および垂直方向のそれぞれについて数え、連続している数の少ない方を、より移動方向に近いものとして選択し、さらに、表３を用いて重み付け等化パルスの大きさを決定し、これを原信号に重畳する。
【０１１６】
図４１に示した等化パルスは、対角方向の移動を考慮して与えたものであり、下記の表４に示す手法を用いて、図４０（ａ）の画像に重み付け等化パルスを与えてみる。なお、表４に示す重み付け等化パルスの付与は、後に、図５２〜図５９に示すフローチャートを参照して詳述する。
【０１１７】
【表４】
0003712802.tif 000006
【０１１８】
まず、階調レベルが１２７から１２８に変化する画素は水平方向および垂直方向ともに６画素である。従って、表３の移動速度が６の場合（表３の参照符号３０３）から、重み付け等化パルスの値は＋１２７，＋１２７，＋１２７，０，０，０、或いは、＋１２７，＋１２７，＋６３，＋６３，０，０と求められる。なお、等化パルス＋１２７を付加する画素には（２）印を付し、等化パルス＋６３を付加する画素には（１）印を付し、そして、等化パルス０を付加する画素には（０）印を付して示す。
【０１１９】
ここで、前者の等化パルス列（＋１２７，＋１２７，＋１２７，０，０，０）を用いれば、等化パルスの大きさは図４４のようになる。図４１に示した等化パルスの量とは多少異なるが、対角方向に移動する２ラインの平均をとれば、図４１と一致する。一方、後者の等化パルス列（＋１２７，＋１２７，＋６３，＋６３，０，０）を用いれば、図４１と一致することになる。
【０１２０】
さらに、表４の手法を用いて、図４２の対角方向に移動する画像に重み付け等化パルスを与えてみる。階調レベルが１２７から１２８に変化する画素は水平方向および垂直方向ともに４画素である。従って、表３の移動速度が４の場合（表３の参照符号３０４）から、重み付け等化パルスの値は＋１２７，＋１２７，０，０、或いは、＋１２７，＋６３，＋６３，０となる。前者の等化パルス列（＋１２７，＋１２７，０，０：記号２／２／０／０に対応）を用いれば図４２に示した等化パルスの量と一致することが判る。また、後者の等化パルス列（＋１２７，＋６３，＋６３，０：記号２／１／１／０に対応）を用いた場合には、図４２とは異なるが、対角方向に移動する２ラインの平均をとれば一致することになる。
【０１２１】
次に、画像の移動（画素の動き）は対角方向であるが、移動方向と階調の変化方向が一致しない場合を考える。
図４５および図４６は本発明に係る中間調表示方法の適用例として対角方向への移動（移動方向と階調の変化方向が一致しない場合）を説明するための図である。図４５は、直線ＡＡに平行に階調が変化する画像が、左下４５度の方向に移動する場合を示すものである。このとき、各画素は発光の尾を引きながら、網膜上を右上４５度方向に移動する。図４５における符号（２），（１），（０）は、それぞれ図４１と同様であり、対角方向への移動を考慮して等化パルスに重み付けをしている。
【０１２２】
図４５において、まず、表示画像の移動速度および移動方向を知るために、サブフレームのビット（ｂ７，ｂ６，ｂ５）の各々の有無が連続する画素を水平方向ＨＨおよび垂直方向ＶＶに数える。具体的に、水平方向ＨＨに含まれる画素数は３個で、垂直方向ＶＶに含まれる画素数は６個である。そこで、これら連続する画素数の少ない方、すなわち、３個を選択し、前述した表３のＬＵＴから重み付け等化パルスの大きさを調べる。ここで、サブフレームのビットｂ７，ｂ６，ｂ５に注目するのは、これらのビット（特に、ｂ７，ｂ６）が階調の乱れに大きな影響を与えるからである。
【０１２３】
表３において、連続する画素数が３個の場合は、参照符号３００で示されるように、等化パルスとして、記号（符号）２／１／０および1.５／1.５／０が得られる。すなわち、等化パルス１２７，６３，０および９５，９５，０が得られる。図４５では、等化パルス１２７，６３，０（記号２／１／０に対応）が選択されて、原信号に付加された様子を示している。
【０１２４】
図４６は、図４５の等化パルスに対して表４に示す方法で重み付けをした場合（重み付け等化パルス）を示している。図４５の重み付けとは多少異なるが、対角方向に移動する２ラインの平均をとれば図４５とほぼ一致する。
前記の表４を参照して、重み付け等化パルスの与え方の手順の概略を説明する。
【０１２５】
１）まず、全画素に対し、第ｎフレームと第ｎ＋１フレームの輝度レベルを比較して、第７ビット（ｂ７：ＳＦ７）が無から無（例えば、１２７→１２７）なら“ａ”とし、無→有（例えば、１２７→１２８）なら“ｂ”とし、有→無（例えば、１２８→１２７）なら“ｃ”とし、そして、有→有（例えば、１２８→１２８）なら“ｄ”としてメモリ（ＲＡＭ）に書き込む。ここで、例えば、表３において、輝度変化が１２７→１２８の場合は“ｂ”に対応し、また、輝度変化が１２８→１２７の場合は“ｃ”に対応する。
【０１２６】
２）さらに、パネル内の画素を（１，１），（１，２），（１，３），…（２，１），（２，２），（２，３），…と順に調べ、“ｂ”（或いは、“ｃ”）の内、未だ等化パルスが与えられていない画素を検索し、この画素を（ｉ，ｊ）とする。
３）次に、画素（ｉ，ｊ）と水平方向に“ｂ”（または、“ｃ”）が続く領域を調べる。
【０１２７】
４）この領域を挟む画素が“ａ”と“ｄ”、或いは、“ｄ”と“ａ”ならば、“ｂ”（または、“ｃ”）が続いた数を“Ｂi,j ”とする。
５）さらに、上記３）および４）以外の場合、“∞”を“Ｂi,j ”番地に記録する。
６）画素（ｉ，ｊ）と垂直方向に“ｂ”（または、“ｃ”）が続く領域を調べる。
【０１２８】
７）この領域を挟む画素が“ａ”と“ｄ”、或いは、“ｄ”と“ａ”ならば、“ｂ”（または、“ｃ”）が続いた数を“Ｃi,j ”とする。
８）上記６）および７）以外の場合、“∞”を“Ｃi,j ”番地に記録する。
９）“Ｂi,j ”が“Ｃi,j ”より小さいかまたは等しいとき“Ｂi,j ”を、それ以外なら“Ｃi,j ”を選択する。
【０１２９】
１０）“Ｂi,j ”，“Ｃi,j ”いずれも“∞”の時は、等化パルスの値を“０”とする。
１１）表３のＬＵＴにより、重み付け等化パルスの大きさを調べる。
１２）“ｂ”（または、“ｃ”）であった全画素に対してこの重み付け等化パルスを与える。
【０１３０】
１３）上記の２）へ戻る。
１４）全画素に対して重み付け等化パルスの付与が終了したら１）へ戻り、第６ビット（ｂ６）に対する重み付け等化パルス付加を行う。また，別のビット（例えば、ｂ５）に対しても上記の処理を繰り返す。
図４７〜図５０は本発明に係る中間調表示方法の適用例として対角方向への移動（曲線部のある画像の場合）を説明するための図である。
【０１３１】
移動は対角方向であるが、画像が曲線で示される場合を考える。図４７は円形画像が左下４５度方向に移動する図である。円の内部は輝度レベル１２７で、外部は１２８である。画素は、発光の尾を引きながら網膜上を右上４５度方向に移動する。図４７における符号（２），（１），（０）は、それぞれ図４１と同様であり、対角方向への移動を考慮して等化パルスに重み付けをしている。なお、図４８は円形画像の移動の様子を示すものである。
【０１３２】
図４９は、図４７の等化パルスに対して表４の上段の値で重み付けをしている。図４７の重み付けと概略一致していることが判る。図５０は、同図の等化パルスに対して表４の下段の値で重み付けをしている。図４７の重み付けとやはり概略一致していることが判る。
図５１は本発明に係る中間調表示方法の適用例として非対角方向への移動（移動方向と階調の変化方向が一致する場合）を説明するための図である。
【０１３３】
図５１において、移動方向と階調の変化方向は一致している。しかしながら、移動方向は非対角方向であるため、発光の残像が隣接画素とは重ならない。従って、これが重なる図４１の場合のように、対角方向への移動を考慮して重み付けすることはできない。図５１において、重み付けは表４に従ったが、図４１の場合と類似の結果が得られている。
【０１３４】
以下、上記の表４における処理は、図５２〜図５９（図６０）のフローチャートとして詳述される。なお、本発明の中間調表示方法は、回路等により構成することができるが、コンピュータを以下のフローチャートに従って実行させるためのプログラムとして構成することもできる。ここで、コンピュータ用のプログラムは、例えば、フレキシブルディスクやハードディスク等の磁気的記憶媒体、および、ＣＤＲＯＭやＭＯディスク等の光学的記憶媒体等を介して頒布され、或いは、不揮発性メモリ装置等に書き込まれて頒布されて使用される。
【０１３５】
図５２は本発明に係る中間調表示方法の処理の一例を示すフローチャートであり、等化パルス処理のメインパス（メインルーチン）を示すものである。
図５２に示されるように、本発明の等化パルス処理（中間調表示処理）が開始されると、ステップＳＴ１において、Ｎ＝７（最上位輝度ビット）を設定してステップＳＴ２へ進む。ここで、参照符号Ｎは、輝度信号のビット番号を表わし、例えば、Ｎ＝７は最上位信号ビット（ＳＦ７：１２８階調レベル）、Ｎ＝６はその下の輝度信号ビット（ＳＦ６：６４階調レベル）を現している。
【０１３６】
次いで、ステップＳＴ２で、『ビット切替り部検出処理』をＮ＝７ビットの輝度信号について、第ｎフレームと第ｎ＋１フレームについて実行し、画素毎にビット切替り部を検出し、その検出結果を記憶手段に記憶する。さらに、ステップＳＴ３へ進んで、『動画偽輪郭改善処理』をステップＳＴ２のビット切替り部の検出結果に基づいて実行し、ステップＳＴ４へ進む。
【０１３７】
ステップＳＴ４では、Ｎ＝５が成立するか否かを判別し、Ｎ＝５であれば（真：Ｙｅｓ）等化パルス処理を終了し、Ｎ＝５でなければ（偽：Ｎｏ）、ステップＳＴ５へ進む。ステップＳＴ５では、Ｎ＝Ｎ−１を実行した後、ステップＳＴ２へ戻り、以下、順にステップＳＴ３，ＳＴ４と進み、ステップＳＴ４で真（Ｎ＝５）となるまで、テップＳＴ２およびＳＴ３の処理を繰り返す。ここで、ステップＳＴ４におけるＮ＝５の判別は、例えば、図１に示すような点灯シーケンスにおいて、画像に与える影響の大きいＮ＝５（ＳＦ５：３２階調レベル）まで等化パルス処理を行う場合に対応する。従って、点灯シーケンスの構成および等化パルス処理が必要とされるビット構成等により、その設定値は変化することになる。
【０１３８】
図５３は図５２のフローチャートにおけるビット切替り部検出処理（ステップＳＴ２）の一例を示すフローチャートである。
図５３に示されるように、図５２のフローチャートにおける『ビット切替り部検出処理ＳＴ２』が開始されると、ステップＳＴ２１において、ｊ＝０と初期設定を行い、また、ステップＳＴ２２において、ｉ＝０と初期設定を行う。ここで、参照符号ｉおよびｊは、画素の横方向および縦方向の位置（画素番号）を示している。なお、横方向の画素番号ｉおよび縦方向の画素番号ｊは、共に“０”から始まり、横方向はｋ、また、縦方向はｍの大きさを持っている。すなわち、画素数は、横方向が（ｋ＋１）個で、縦方向が（ｍ＋１）個となっている。
【０１３９】
次いで、ステップＳＴ２３へ進んで、座標（０，０）のフレーム番号ｎと（ｎ＋１）の中間調ビットデータｂ７(n) およびｂ７(n+1) を読み込んで、ステップＳＴ２４へ進む。ステップＳＴ２４では、ステップＳＴ２３で読み込んだ中間調ビットを比較し、下記の表５に従った値（ｙij）を記憶手段に書き込む。
【０１４０】
【表５】
0003712802.tif 000007
【０１４１】
さらに、ステップＳＴ２５へ進んで、横方向の座標番号を比較（ｉ＝ｋ）し、横方向の画素番号ｉがｋに一致しなければ（すなわち、比較した結果、横方向の画素番号ｉが横方向画素数ｋよりも小さければ）、ステップＳＴ２６へ進んでｉ＝ｉ＋１としてステップＳＴ２３へ戻り、ステップＳＴ２５でｉ＝ｋが成立するまで（すなわち、同じラインの端から端までの画素に対して）、同様の処理を繰り返す。また、ステップＳＴ２５でｉ＝ｋが成立すると判別されると、ステップＳＴ２７へ進む。
【０１４２】
ステップＳＴ２７では、縦方向の座標番号を比較（ｊ＝ｍ）し、縦方向の画素番号ｊがｍに一致しなければ（すなわち、比較した結果、縦方向のライン番号ｊが縦方向の表示最大表示ライン数ｍよりも小さければ）、ステップＳＴ２８へ進んでｊ＝ｊ＋１としてステップＳＴ２２へ戻り、ステップＳＴ２７でｊ＝ｍが成立するまで同様の処理を繰り返す。また、ステップＳＴ２７でｊ＝ｍが成立すると判別されると、ビット切替り部検出処理ＳＴ２を終了し、メインルーチンへ戻る（図５２中のステップＳＴ３へ進む）。
【０１４３】
図５４は図５２のフローチャートにおける動画偽輪郭改善処理（ステップＳＴ３）の一例を示すフローチャートである。ここで、本フローチャートは、主として『動き量検出処理用サブルーチン（ＳＴ３５）』および『等化パルス加減処理用サブルーチン（ＳＴ３６）』を備えて構成され、これらの処理は、図５５〜図５７および図５８〜図６０を参照して詳述する。ここでは、これらステップＳＴ３５およびＳＴ３６のサブルーチンの動作には触れずに全体的な処理の流れを説明する。
【０１４４】
図５４に示されるように、図５２のフローチャートにおける『動画偽輪郭改善処理ＳＴ３』が開始されると、ステップＳＴ３１において、ｊ＝０と初期設定を行い、また、ステップＳＴ３２において、ｉ＝０と初期設定を行う。ここで、参照符号ｉおよびｊは、画素の横方向の画素番号（検索ドット）および縦方向の位置（処理ライン番号）に対応する。
【０１４５】
次いで、ステップＳＴ３３へ進んで、座標（０，０）のｙ00を読み込みｙ00の値が、ｂまたはｃ（すなわち、中間調レベルの桁上げ／桁下げ）があるか否かを判別する。ステップＳＴ３３で、桁上げ／桁下げが有ると判別されると、ステップＳＴ３４へ進み、また、桁上げ／桁下げが無いと判別されると、ステップＳＴ３７へ進む。
【０１４６】
ステップＳＴ３４では、現在検索中の画素が現フレームにおける他の画素の処理結果により等化パルスが加減されていないかどうかを判別する。そして、ステップＳＴ３４で、等化パルスが加減されていると判別されると、ステップＳＴ３７へ進み、また、等化パルスが加減されていないと判別されると、ステップＳＴ３５へ進んで『動き量検出処理』が行われ、さらに、ステップＳＴ３６へ進んで『等化パルス加減処理』が行われ、その後、ステップＳＴ３７へ進む。
【０１４７】
ステップＳＴ３７では、現在検索中の画素の横方向の位置ｉが横方向の画素の最大値ｋであるか否かが判別され、横方向の画素番号ｉが横方向最大画素ｋに一致しなければ、ステップＳＴ３８へ進んでｉ＝ｉ＋１としてステップＳＴ３３へ戻り、ステップＳＴ３７でｉ＝ｋが成立するまで（すなわち、同じラインの端から端までの画素に対して）、同様の処理を繰り返す。また、ステップＳＴ３７でｉ＝ｋが成立すると判別されると、ステップＳＴ３９へ進む。
【０１４８】
ステップＳＴ３９では、縦方向のライン番号ｊが縦方向の表示最大表示ライン数ｍに一致しなければ、ステップＳＴ３０へ進んでｊ＝ｊ＋１としてステップＳＴ３２へ戻り、ステップＳＴ３９でｊ＝ｍが成立するまで同様の処理を繰り返す。また、ステップＳＴ３９でｊ＝ｍが成立すると判別されると、動画偽輪郭改善処理ＳＴ３を終了し、メインルーチンへ戻る（図５２中のステップＳＴ４へ進む）。
【０１４９】
図５５〜図５７は図５４のフローチャートにおける動き量検出処理ＳＴ３５の一例を示すフローチャートであり、図５５のフローチャートは横方向の動き量検出処理を示し、また、図５６および図５７のフローチャートは縦方向の動き量検出処理を示している。ここで、図５５〜図５７に示すサブルーチン（動き量検出処理ＳＴ３５）は、画素ｉｊにおいて、桁上げ或いは桁下げ（桁上げ／桁下げ）が発生した場合（ｙij＝ｂまたはｃ）に処理が開始されるようになっている。
【０１５０】
図５５に示されるように、動き量検出処理（横方向の動き量検索処理）が開始されると、ステップＳＴ４１において、桁上げ／桁下げのあった画素で未だ等化パルスが加減されていない画素（ｉ，ｊ）を動き検索開始画素の座標とし、この座標を改めて（Ｘs ，Ｙs ）として、本サブルーチンが終了するまで記憶しておく。
【０１５１】
次いで、ステップＳＴ４１１において、横方向の検索開始位置ｉより１を引き、改めてｉと置き（ｉ＝ｉ−１）、ステップＳＴ４１２へ進む。ステップＳＴ４１２では、検索画素がパネル表示領域をオーバしていないかどうか（ｉ＜０）が判別され、検索画素がパネル表示領域をオーバしていると判別されると、ステップＳＴ４１５へ進み、また、オーバしていないと判別されると、ステップＳＴ４１３へ進む。
【０１５２】
ステップＳＴ４１３では、検索している画素の座標（Ｙs,ｉ）と検索を開始する座標の画素の状態変化Ｙiys,ＹXsYsを比較し、異なればステップＳＴ４１４へ進み、また、同じであればステップＳＴ４１１へ戻り、異なるようになるまで並びに横方向の表示画面の端に到達するまで同様の処理を繰り返す。ステップＳＴ４１４では、検索終了した画素の位置ｉに対して１を加え、横方向の桁上がり／桁下がり（桁上がりまたは桁下がり）の状態の先頭座標の位置Ｘeaを求める（Ｘea＝ｉ＋１）。また、ステップＳＴ４１５において、横方向の桁上がり／桁下がりの状態が表示領域の端まで続いた場合は、Ｘea＝０と置くことになる。このようにして、左横方向の動き量の検索処理（上側への検索処理）が実行される。
【０１５３】
ステップＳＴ４１４およびＳＴ４１５の処理が終了すると、共にステップＳＴ４１６へ進み、以下に示す右横方向の動き量の検索処理が実行される。ステップＳＴ４１６では、横方向の検索スタート位置ｉを改めてｉ＝ＸS と置き、さらに、ステップＳＴ４２へ進んで、横方向の検索スタート位置ｉに１を加え、改めてｉと置く（ｉ＝ｉ＋１）。さらに、ステップＳＴ４３へ進んで、ステップＳＴ４２で求めたｉが横方向の表示領域ｋをオーバしたかどうかを判別し、オーバしていると判別されれば検索動作を終了してステップＳＴ４７へ進み、オーバしていないと判別されればステップＳＴ４４へ進む。
【０１５４】
ステップＳＴ４４では、新しい横方向の検索画素の座標（ｉ，ｙs ）が検索開始画素の位置のビット切り替り状態と同じかどうかの判別が行われ、状態が同じ（ｙiYs ＝ｙXsYs）であればステップＳＴ４２へ戻り、該ステップＳＴ４４で状態が異なると判別されるまで、同様の処理を繰り返す。そして、ステップＳＴ４４で状態が異なると判別されると、検索処理を終了してステップＳＴ４５へ進む。ここで、ステップＳＴ４５は、横方向の検索画素の終了位置が表示画素端まで到達しなかった場合に実行され、検索終了位置の横方向の座標ｉから１を引き、その値をＸeb（Ｘeb＝ｉ−１）として記憶する。
【０１５５】
さらに、ステップＳＴ４５１において、ステップＳＴ４５で得られたＸebがＸeb＝０となっているか否かが判別される。ステップＳＴ４５１で、Ｘeb＝０であると判別されると、ステップＳＴ５０へ進み、Ｘeb＝０ではないと判別されると、ステップＳＴ４６へ進む。ステップＳＴ４６において、ＸeaがＸea＝０となっているか否かが判別される。ステップＳＴ４６で、Ｘea＝０であると判別されると、ステップＳＴ４９へ進み、Ｘea＝０ではないと判別されると、ステップＳＴ４８へ進む。
【０１５６】
一方、ステップＳＴ４７では、画素Ｘeaが表示先頭位置より開始されたか否かの判別が行われる。そして、ステップＳＴ４７において、検索スタート画素が表示先頭位置より開始された（Ｘea＝０）と判別されるとステップＳＴ５２へ進み、また、開始されていないと判別されるとステップＳＴ５１へ進む。
ステップＳＴ４８では、横方向の動き量ＢXsYsをＢXsYs＝Ｘeb−Ｘea＋１とし、且つ、横方向のビットの切り替わりのあった画素の両端の画素状態（α，β）＝（ＹXea-1,Ys, ＹXeb+1,Ys）として求めて記憶する。また、ステップＳＴ４９では、ＢXsYs＝Ｘeb＋１、且つ、（α，β）＝（Ｙ0,Ys, ＹXeb+1,Ys）として求めて記憶し、ステップＳＴ５０では、ＢXsYs＝１、且つ、（α，β）＝（Ｙ0,Ys, Ｙ0,Ys）として求めて記憶し、ステップＳＴ５１では、ＢXsYs＝ｋ−Ｘea＋１、且つ、（α，β）＝（ＹXea-1,Ys, Ｙk,Ys）として求めて記憶し、そして、ステップＳＴ５２では、ＢXsYs＝ｋ＋１、且つ、（α，β）＝（Ｙ0,Ys, Ｙk,Ys）として求めて記憶する。これにより、各ステップＳＴ４８〜ＳＴ５２において、横方向の動き量および連続する画素を挟む２つの画素状態が検索され、次いで、ステップＳＴ５３へ進む。
【０１５７】
図５６に示されるように、ステップＳＴ５３では、縦方向の検索開始位置ｊより１を引き、改めてｊと置き（ｊ＝ｊ−１）、ステップＳＴ５４へ進む。この時、横方向の検索画素の位置はＸs である。ステップＳＴ５４では、検索画素がパネル表示領域をオーバしていないかどうか（ｊ＜０）が判別され、検索画素がパネル表示領域をオーバしていると判別されると、ステップＳＴ５７へ進み、また、オーバしていないと判別されると、ステップＳＴ５５へ進む。
【０１５８】
ステップＳＴ５５では、検索している画素の座標（Ｘs ，ｊ）と検索を開始する座標の画素の状態変化ＹXsj,ＹXsYsを比較し、異なればステップＳＴ５６へ進み、また、同じであればステップＳＴ５３へ戻り、異なるようになるまで並びに縦方向の表示画面の端に到達するまで同様の処理を繰り返す。ステップＳＴ５６では、検索終了した画素の位置ｊに対して１を加え、縦方向の桁上がり／桁下がり（桁上がりまたは桁下がり）の状態の先頭座標の位置Ｙeaを求める（Ｙea＝ｊ＋１）。また、ステップＳＴ５７において、縦方向の桁上がり／桁下がりの状態が表示領域の端まで続いた場合は、Ｙea＝０と置くことになる。このようにして、縦方向の動き量の検索処理（上側への検索処理）が実行される。
【０１５９】
ステップＳＴ５６およびＳＴ５７の処理が終了すると、共にステップＳＴ５８へ進み、以下に示す縦方向の動き量の検索処理（下側への検索処理）が実行される。ステップＳＴ５８では、縦方向の検索スタート位置ｊを改めてｊ＝ＹS と置き、さらに、ステップＳＴ５９へ進んで、縦方向の検索スタート位置ｊに１を加え、改めてｊと置く（ｊ＝ｊ＋１）。
【０１６０】
次いで、ステップＳＴ６０へ進んで、検索画素の位置ｊが縦方向の表示領域ｍをオーバしていないかどうかが判別され、オーバしていればステップＳＴ６８へ進み、オーバしていなければステップＳＴ６１へ進む。ステップＳＴ６１では、検索している画素の座標（Ｘs ，ｊ）と検索を開始する座標の画素の状態変化ＹXsj,ＹXsYsを比較し、異なればステップＳＴ６２へ進み、同じであれば（ＹXsj ＝ＹXsYs）ステップＳＴ５９へ戻り、異なるようになるまで並びに縦方向の表示画面の端に到達するまで同様の処理を繰り返す。
【０１６１】
図５７に示されるように、ステップＳＴ６２では、検索が終了した画素位置ｊより１を引き、縦方向の桁上がり／桁下がり（桁上がりまたは桁下がり）の状態の後側の座標の位置Ｙebを求め（Ｙeb＝ｊ−１）、さらに、ステップＳＴ６３へ進む。ステップＳＴ６３では、ステップＳＴ６２で求められたＹebがＹeb＝０となるかどうかが判別され、縦方向の桁上がり／桁下がりの状態の後側の座標Ｙeb＝０が成立すると判別されるとステップＳＴ６７へ進み、一方、Ｙeb＝０が成立しないと判別されるとステップＳＴ６４へ進む。
【０１６２】
ステップＳＴ６４では、状態変化の先頭の座標Ｙeaが画面の端（＝０）であるか否かが判別され、画面の端でなければステップＳＴ６５へ進み、画面の端であれば（Ｙea＝０）ステップＳＴ６６へ進む。同様に、ステップＳＴ６８でも、状態変化の先頭の座標Ｙeaが画面の端であるか否かが判別され、画面の端でなければステップＳＴ６９へ進み、画面の端であれば（Ｙea＝０）ステップＳＴ７０へ進む。
【０１６３】
ステップＳＴ６５では、縦方向の動き量ＣXsYsをＣXsYs＝Ｙeb−Ｙea＋１とし、且つ、縦方向のビットの切り替わりのあった画素の両端の画素状態（γ，δ）＝（ＹXs,Yea-1, ＹXs,Yeb+1）として求めて記憶し、ステップＳＴ６６では、ＣXsYs＝Ｙeb＋１、且つ、（γ，δ）＝（ＹXs,0, ＹXs,Yeb+1）として求めて記憶し、ステップＳＴ６７では、ＣXsYs＝１、且つ、（γ，δ）＝（ＹXs,0, ＹXs,0）として求めて記憶し、ステップＳＴ６９では、ＣXsYs＝ｍ−Ｙea＋１、且つ、（γ，δ）＝（ＹXs,Yea-1, ＹXs,m）として求めて記憶し、そして、ステップＳＴ７０では、ＣXsYs＝ｍ＋１、且つ、（γ，δ）＝（ＹXs,0, ＹXs,m）として求めて記憶する。これにより、横方向の動き量と共に、縦方向の動き量も検索して、動き量検出処理ＳＴ３５を終了し、メインルーチンへ戻る（図５４中のステップＳＴ３６へ進む）。
【０１６４】
図５８および図５９（図６０）は図５４のフローチャートにおける等化パルス加減処理ＳＴ３６の一例を示すフローチャートである。
図５８に示されるように、等化パルス加減処理ＳＴ３６が開始されると、ステップＳＴ７１では、検索された動き領域を挟む横方向の画素（α，β）が（ａ，ｄ）および（ｄ，ａ）であるか否か（条件１）が判別され、判別結果が真（Ｙｅｓ）であればステップＳＴ７２へ進み、偽（Ｎｏ）であればステップＳＴ７６へ進む。
【０１６５】
ステップＳＴ７２では、検索された動き領域を挟む縦方向の画素（γ，δ）が（ａ，ｄ）および（ｄ，ａ）であるか否か（条件２）が判別され、判別結果が真であればステップＳＴ７３へ進み、偽であればステップＳＴ７４へ進む。さらに、ステップＳＴ７３では、横方向および縦方向の動き量ＢXsYsおよびＣXsYsがＣXsYs≧ＢXsYs（条件３）により判別され、ＣXsYs≧ＢXsYsが成立すると判別されるとステップＳＴ７４へ進み、また、成立しないと判別されるとステップＳＴ７５へ進む。
【０１６６】
同様に、ステップＳＴ７６でも、検索された動き領域を挟む縦方向の画素（γ，δ）が（ａ，ｄ）および（ｄ，ａ）であるか否か（条件２）が判別され、判別結果が真であればステップＳＴ７５へ進み、偽であればステップＳＴ７７へ進む。さらに、ステップＳＴ７７では、横方向および縦方向の動き量ＢXsYsおよびＣXsYsがＣXsYs≧ＢXsYs（条件３）により判別され、ＣXsYs≧ＢXsYsが成立すると判別されるとステップＳＴ７８へ進み、また、成立しないと判別されるとステップＳＴ７９へ進む。
【０１６７】
ステップＳＴ７４では、動き量ＶXsYs、動き量を挟む画素（ε，ζ）、および、検出スタート画素ＹXsYsが記憶される（ＶXsYs＝ＢXsYs，（ε，ζ）＝（α，β），ＹXsYs）。同様に、ステップＳＴ７５では、ＶXsYs＝ＣXsYs，（ε，ζ）＝（γ，δ），ＹXsYsが記憶される。また、ステップＳＴ７８では、動き量ＶXsYs、動き量を挟む画素、および、検出スタート画素ＹXsYsが記憶される（ＶXsYs＝ＢXsYs，（ε，ζ）＝（α，β），ＹXsYs）。同様に、ステップＳＴ７９では、ＶXsYs＝ＣXsYs，（ε，ζ）＝（γ，δ），ＹXsYsが記憶される。そして、ステップＳＴ７４およびＳＴ７５の処理が終わるとステップＳＴ８０へ進み、また、ステップＳＴ７８およびＳＴ７９の処理が終わるとステップＳＴ８４へ進んで、それぞれ動き補償用の等化パルスを加減する。
【０１６８】
図５９に示されるように、ステップＳＴ８０では、前述した表４のルックアップテーブル（ＬＵＴ）により検出された動き量ＶXsYsに対応する行を選択し、さらに、ステップＳＴ８１に進んで、ＹXsYsの状態により正負どちらの等化パルスを加えるかを選択する。さらに、ステップＳＴ８２において、動き量を挟む画素（ε，ζ）により等化パルスの重み付け方向を決定し、ステップＳＴ８３に進んで、動き量を挟む画素（ε，ζ）に挟まれた領域に重み付け等化パルスを順に加えて、等化パルス加減処理ＳＴ３６を終了し、メインルーチンへ戻る（図５４中のステップＳＴ３７へ進む）。
【０１６９】
一方、ステップＳＴ８４では、表４のＬＵＴにより検出スタート画素ＹXsYsの状態に従う関連技術と同様の等化パルス（図２７および図３５に示す等化パルス）を選択する。さらに、ステップＳＴ８５に進んで、動き量を挟む画素（ε，ζ）に挟まれた領域に等化パルス（関連技術と同様の等化パルス）を順に加えて、等化パルス加減処理ＳＴ３６を終了し、メインルーチンへ戻る（図５４中のステップＳＴ３７へ進む）。
【０１７０】
図６０は図５８および図５９に示す等化パルス加減処理の変形例を説明するための図であり、図６０（ａ）および図６０（ｂ）は、それぞれ図５８および図５９に示す等化パルス加減処理における参照符号ＦからＧの間の処理の変形を示すものである。すなわち、図５８および図５９中のステップＳＴ７７〜ＳＴ７９およびステップ８４，ＳＴ８５は、図６０（ａ）に示すステップＳＴ８６およびＳＴ８７、或いは、図６０（ｂ）に示すステップＳＴ８８として処理することができる。
【０１７１】
図５８，図５９および図６０（ａ）に示されるように、ステップＳＴ７６において、検索された動き領域を挟む縦方向の画素（γ，δ）が（ａ，ｄ）および（ｄ，ａ）ではないと判別されると、図５８中のステップＳＴ７７へ進む代わりに、ステップＳＴ８６へ進む。ステップＳＴ８６では、前述した表４のＬＵＴにより検出スタート画素ＹXsYsの状態に従う関連技術と同様の等化パルス（図２７および図３５に示す等化パルス）を選択し、さらに、ステップＳＴ８７に進んで、座標（Ｘs,Ｙs ）に対してのみ上記ＹXsYsの状態に従う等化パルスを順に加えて、等化パルス加減処理ＳＴ３６を終了し、メインルーチンへ戻る（図５４中のステップＳＴ３７へ進む）ように構成してもよい。
【０１７２】
或いは、図５８，図５９および図６０（ｂ）に示されるように、ステップＳＴ７６において、検索された動き領域を挟む縦方向の画素（γ，δ）が（ａ，ｄ）および（ｄ，ａ）ではないと判別されると、図５８中のステップＳＴ７７へ進む代わりに、ステップＳＴ８８へ進み、等化パルスを加えないで、等化パルス加減処理ＳＴ３６を終了し、メインルーチンへ戻る（図５４中のステップＳＴ３７へ進む）ように構成することもできる。
【０１７３】
このように、図５２〜図６０のフローチャートを参照して説明したように、本発明の中間調表示方法は、様々な移動速度および移動方向の動画像に対して、特に、例えば、移動速度が５画素／フレームを越えるような高速な動画像に対しても、中間調表示の乱れを減少して、映像の動画偽輪郭を改善することができる。
なお、本発明が適用される表示装置としては、プラズマディスプレイ等のガス放電パネルの他に、フレーム或いはフィールド内時間分割法で中間調表示を行う様々な表示装置、例えば、ＤＭＤ（Digital Micromirror Device) やＥＬパネル等に対しても適用可能なのは前述した通りである。
【０１７４】
【発明の効果】
以上、詳述したように、本発明によれば、各々の画素の発光ブロックの点灯パターンが連続するフレーム間において変化する場合、各フレーム内において各画素に予め定められた発光ブロックに対して、該変化の状態に従って各画素に重み付けされた輝度調整のための発光ブロックを加えるようになっているため、移動速度の大きい動画像に対しても、中間調表示に乱れを減少し、特に、映像の動画偽輪郭（色偽輪郭）を改善することができる。
【図面の簡単な説明】
【図１】フレーム内の各サブフレームの点灯シーケンスの一例を示すタイミング図である。
【図２】中間階調レベルが１２７と１２８における各サブフレームの点灯状態の一例を示す図である。
【図３】第１のフレームと第２のフレームにおける点灯状態を説明する図である。
【図４】従来の方法における中間調輝度の乱れの発生原因の一例を説明する図である。
【図５】従来の方法における中間調輝度の乱れの発生原因の他の例を説明する図である。
【図６】従来の方法における中間調輝度の乱れの発生原因のさらに別の例を説明する図である。
【図７】中間階調レベルが３１から３２に変化する場合におけるサブフレームの分離状態の一例を示す図である。
【図８】図７に示す具体例において、右方向スクロールを行った場合のサブフレームの分離状態の一例を示す図である。
【図９】中間階調レベルが３２から３１に変化する場合におけるサブフレームの分離状態の一例を示す図である。
【図１０】表示画像をスクロールした状態を示す図である。
【図１１】左側から右側へ表示画像をスクロールした時に生じる問題を説明するための図である。
【図１２】右側から左側へ表示画像をスクロールした時に生じる問題を説明するための図である。
【図１３】関連技術としての中間調表示方法の一例を説明するための図である。
【図１４】関連技術における輝度調整用発光ブロック挿入回路の一例を示すブロック図である。
【図１５】関連技術の中間調表示方法の適用の有無による第１の移動速度（第１の移動方向）でのシミュレーション結果を示す図である。
【図１６】本発明の中間調表示方法および関連技術の中間調表示方法の適用の有無による第２の移動速度（第１の移動方向）でのシミュレーション結果を示す図である。
【図１７】本発明の中間調表示方法および関連技術の中間調表示方法の適用の有無による第３の移動速度（第１の移動方向）でのシミュレーション結果を示す図である。
【図１８】本発明の中間調表示方法および関連技術の中間調表示方法の適用の有無による第４の移動速度（第１の移動方向）でのシミュレーション結果を示す図である。
【図１９】関連技術の中間調表示方法の適用の有無による第１の移動速度（第２の移動方向）でのシミュレーション結果を示す図である。
【図２０】本発明の中間調表示方法および関連技術の中間調表示方法の適用の有無による第２の移動速度（第２の移動方向）でのシミュレーション結果を示す図である。
【図２１】本発明の中間調表示方法および関連技術の中間調表示方法の適用の有無による第３の移動速度（第２の移動方向）でのシミュレーション結果を示す図である。
【図２２】本発明の中間調表示方法および関連技術の中間調表示方法の適用の有無による第４の移動速度（第２の移動方向）でのシミュレーション結果を示す図である。
【図２３】本発明が適用されるフィールド内パルス幅／数変調方式の例を説明するための図である。
【図２４】本発明に係る表示装置の一例の概略構成を示すブロック図である。
【図２５】本発明に係る中間調表示方法の一実施例を説明するための図（その１）である。
【図２６】本発明に係る中間調表示方法の一実施例を説明するための図（その２）である。
【図２７】本発明に係る中間調表示方法の一実施例を説明するための図（その３）である。
【図２８】本発明に係る中間調表示方法の一実施例を説明するための図（その４）である。
【図２９】図２５に示す発光パターンに図２８に示す等化パルスを重ね書きした様子を示す図である。
【図３０】図２９に示す発光パターンの具体的な発光波形を示す図である。
【図３１】図２８に示す発光パターンを縦軸を圧縮して示す図である。
【図３２】本発明に係る中間調表示方法の一実施例の変形例を説明するための図である。
【図３３】図３２の変形例に使用する等化パルスを生成するための発光サブフレームの配列を示す図である。
【図３４】本発明に係る中間調表示方法の他の実施例を説明するための図（その１）である。
【図３５】本発明に係る中間調表示方法の他の実施例を説明するための図（その２）である。
【図３６】本発明に係る中間調表示方法の他の実施例を説明するための図（その３）である。
【図３７】本発明に係る中間調表示方法のさらに他の実施例を説明するための図（その４）である。
【図３８】本発明に係る中間調表示方法により原信号に加えられる等化パルスを説明するための図（その１）である。
【図３９】本発明に係る中間調表示方法により原信号に加えられる等化パルスを説明するための図（その２）である。
【図４０】本発明に係る中間調表示方法の適用例として対角方向への移動（移動方向と階調の変化方向が一致する場合）を説明するための図（その１）である。
【図４１】本発明に係る中間調表示方法の適用例として対角方向への移動（移動方向と階調の変化方向が一致する場合）を説明するための図（その２）である。
【図４２】本発明に係る中間調表示方法の適用例として対角方向への移動（移動方向と階調の変化方向が一致する場合）を説明するための図（その３）である。
【図４３】本発明に係る中間調表示方法の適用例として対角方向への移動（移動方向と階調の変化方向が一致する場合）を説明するための図（その４）である。
【図４４】本発明に係る中間調表示方法の適用例における等化パルスの大きさを説明するための図である。
【図４５】本発明に係る中間調表示方法の適用例として対角方向への移動（移動方向と階調の変化方向が一致しない場合）を説明するための図（その１）である。
【図４６】本発明に係る中間調表示方法の適用例として対角方向への移動（移動方向と階調の変化方向が一致しない場合）を説明するための図（その２）である。
【図４７】本発明に係る中間調表示方法の適用例として対角方向への移動（曲線部のある画像の場合）を説明するための図（その１）である。
【図４８】本発明に係る中間調表示方法の適用例として対角方向への移動（曲線部のある画像の場合）を説明するための図（その２）である。
【図４９】本発明に係る中間調表示方法の適用例として対角方向への移動（曲線部のある画像の場合）を説明するための図（その３）である。
【図５０】本発明に係る中間調表示方法の適用例として対角方向への移動（曲線部のある画像の場合）を説明するための図（その４）である。
【図５１】本発明に係る中間調表示方法の適用例として非対角方向への移動（移動方向と階調の変化方向が一致する場合）を説明するための図である。
【図５２】本発明に係る中間調表示方法の処理の一例を示すフローチャートである。
【図５３】図５２のフローチャートにおけるビット切替り部検出処理の一例を示すフローチャートである。
【図５４】図５２のフローチャートにおける動画偽輪郭改善処理の一例を示すフローチャートである。
【図５５】図５４のフローチャートにおける動き量検出処理の一例を示すフローチャート（その１）である。
【図５６】図５４のフローチャートにおける動き量検出処理の一例を示すフローチャート（その２）である。
【図５７】図５４のフローチャートにおける動き量検出処理の一例を示すフローチャート（その３）である。
【図５８】図５４のフローチャートにおける等化パルス加減処理の一例を示すフローチャート（その１）である。
【図５９】図５４のフローチャートにおける等化パルス加減処理の一例を示すフローチャート（その２）である。
【図６０】図５８および図５９に示す等化パルス加減処理の変形例を説明するための図である。
【符号の説明】
１００…表示装置
１０２…画像表示部
１３１…Ｘデコーダ
１３２…Ｘドライバ
１４１…Ｙデコーダ
１４２…Ｙドライバ
１０５…制御部
２００…輝度調整用発光ブロック挿入手段
３１０…遅延手段
４００…輝度調整用発光ブロック追加手段
４１０…等化パルス判別手段
４１０ａ…比較部
４１０ｂ…ルックアップテーブル（ＬＵＴ）
４２０…等化パルス追加手段
ＥＰＡ，ＥＰＳ…等化パルス
【図１】
0003712802.tif 000008
【図２】
0003712802.tif 000009
【図３】
0003712802.tif 000010
【図４】
0003712802.tif 000011
【図５】
0003712802.tif 000012
【図６】
0003712802.tif 000013
【図７】
0003712802.tif 000014
【図８】
0003712802.tif 000015
【図９】
0003712802.tif 000016
【図１０】
0003712802.tif 000017
【図１１】
0003712802.tif 000018
【図１２】
0003712802.tif 000019
【図１３】
0003712802.tif 000020
【図１４】
0003712802.tif 000021
【図１５】
0003712802.tif 000022
【図１６】
0003712802.tif 000023
【図１７】
0003712802.tif 000024
【図１８】
0003712802.tif 000025
【図１９】
0003712802.tif 000026
【図２０】
0003712802.tif 000027
【図２１】
0003712802.tif 000028
【図２２】
0003712802.tif 000029
【図２３】
0003712802.tif 000030
【図２４】
0003712802.tif 000031
【図２５】
0003712802.tif 000032
【図２６】
0003712802.tif 000033
【図２７】
0003712802.tif 000034
【図２８】
0003712802.tif 000035
【図２９】
0003712802.tif 000036
【図３０】
0003712802.tif 000037
【図３１】
0003712802.tif 000038
【図３２】
0003712802.tif 000039
【図３３】
0003712802.tif 000040
【図３４】
0003712802.tif 000041
【図３５】
0003712802.tif 000042
【図３６】
0003712802.tif 000043
【図３７】
0003712802.tif 000044
【図３８】
0003712802.tif 000045
【図３９】
0003712802.tif 000046
【図４０】
0003712802.tif 000047
【図４１】
0003712802.tif 000048
【図４２】
0003712802.tif 000049
【図４３】
0003712802.tif 000050
【図４４】
0003712802.tif 000051
【図４５】
0003712802.tif 000052
【図４６】
0003712802.tif 000053
【図４７】
0003712802.tif 000054
【図４８】
0003712802.tif 000055
【図４９】
0003712802.tif 000056
【図５０】
0003712802.tif 000057
【図５１】
0003712802.tif 000058
【図５２】
0003712802.tif 000059
【図５３】
0003712802.tif 000060
【図５４】
0003712802.tif 000061
【図５５】
0003712802.tif 000062
【図５６】
0003712802.tif 000063
【図５７】
0003712802.tif 000064
【図５８】
0003712802.tif 000065
【図５９】
0003712802.tif 000066
【図６０】
0003712802.tif 000067